(57)【特許請求の範囲】
【請求項１】
生産拠点に配置されている装置を管理する実行システムに前記装置を管理させるための生産管理装置であって、
前記装置を管理するために実行しようとする実行機能が設定される依頼システムと、前記実行システム及び前記依頼システムとコンピュータ・ネットワークを介して接続されているエージェントシステムと、前記エージェントシステムとコンピュータ・ネットワークを介して接続されている回答システムとを備えており、
前記依頼システムは、
前記実行機能の種類を示す機能名及び前記実行機能の実行対象となる生産拠点を機能設定部に設定する機能設定手段と、
前記実行機能の実行開始条件を開始条件設定部に設定する開始条件設定手段と、
前記実行システムが前記実行機能を実行することにより得られる実行結果を通報機器に出力する方法である結果通知方法を通知方法設定部に設定する通知方法設定手段と、
前記機能設定部に設定された機能名及び生産拠点、前記開始条件設定部に設定された実行開始条件並びに前記通知方法設定部に設定された結果通知方法を実行開始情報として前記エージェントシステムに向けて送信する実行開始情報送信手段とを有し、
前記エージェントシステムは、
前記実行開始情報送信手段から送信された実行開始情報を受信する実行開始情報受信手段と、
前記実行開始情報受信手段が受信した実行開始情報に含まれる実行開始条件が満たされているか否かを判断し、前記実行開始条件が満たされていると判断する場合に、前記実行開始情報受信手段が受信した実行開始情報に含まれる機能名が示す実行機能を、前記実行開始情報受信手段が受信した実行開始情報に含まれる生産拠点において動作する実行システムに実行開始するよう指示すると共に、前記実行システムが指示された実行機能を実行することにより得た実行結果を前記実行システムから受信し、受信した実行結果を結果返却部に保存し、前記実行開始条件が満たされていないと判断する場合に、前記実行システムが前記実行開始条件を満たしているか否かを定期的に検査する機能実行手段と、
前記結果返却部に保存されている実行結果及び前記実行開始情報受信手段が受信した実行開始情報に含まれる結果通知方法を実行結果情報として前記回答システムに向けて送信する結果送信手段とを有し、
前記回答システムは、
前記結果送信手段から送信された実行結果情報を受信する結果受信手段と、
前記結果受信手段が受信した実行結果情報に含まれる結果通知方法に基づき、前記結果受信手段が受信した実行結果情報に含まれる実行結果を通報機器に出力する結果通知手段とを有し、
前記実行開始情報送信手段は、経由するエージェントシステムの負荷の総和が最小となるように複数のエージェントシステムを経由して最終の送信先であるエージェントシステムに向けて前記実行開始情報を送信することを特徴とする生産管理装置。
【請求項２】
生産拠点に配置されている装置を管理する実行システムに前記装置を管理させるための生産管理装置であって、
前記装置を管理するために実行しようとする実行機能が設定される依頼システムと、前記実行システム及び前記依頼システムとコンピュータ・ネットワークを介して接続されているエージェントシステムと、前記エージェントシステムとコンピュータ・ネットワークを介して接続されている回答システムとを備えており、
前記依頼システムは、
前記実行機能の種類を示す機能名及び前記実行機能の実行対象となる生産拠点を機能設定部に設定する機能設定手段と、
前記実行機能の実行開始条件を開始条件設定部に設定する開始条件設定手段と、
前記実行システムが前記実行機能を実行することにより得られる実行結果を通報機器に出力する方法である結果通知方法を通知方法設定部に設定する通知方法設定手段と、
前記機能設定部に設定された機能名及び生産拠点、前記開始条件設定部に設定された実行開始条件並びに前記通知方法設定部に設定された結果通知方法を実行開始情報として前記エージェントシステムに向けて送信する実行開始情報送信手段とを有し、
前記エージェントシステムは、
前記実行開始情報送信手段から送信された実行開始情報を受信する実行開始情報受信手段と、
前記実行開始情報受信手段が受信した実行開始情報に含まれる実行開始条件が満たされているか否かを判断し、前記実行開始条件が満たされていると判断する場合に、前記実行開始情報受信手段が受信した実行開始情報に含まれる機能名が示す実行機能を、前記実行開始情報受信手段が受信した実行開始情報に含まれる生産拠点において動作する実行システムに実行開始するよう指示すると共に、前記実行システムが指示された実行機能を実行することにより得た実行結果を前記実行システムから受信し、受信した実行結果を結果返却部に保存し、前記実行開始条件が満たされていないと判断する場合に、前記実行システムが前記実行開始条件を満たしているか否かを定期的に検査する機能実行手段と、
前記結果返却部に保存されている実行結果及び前記実行開始情報受信手段が受信した実行開始情報に含まれる結果通知方法を実行結果情報として前記回答システムに向けて送信する結果送信手段とを有し、
前記回答システムは、
前記結果送信手段から送信された実行結果情報を受信する結果受信手段と、
前記結果受信手段が受信した実行結果情報に含まれる結果通知方法に基づき、前記結果受信手段が受信した実行結果情報に含まれる実行結果を通報機器に出力する結果通知手段とを有し、
前記実行開始情報送信手段は、経由するエージェントシステムの数が最小となるように複数のエージェントシステムを経由して最終の送信先であるエージェントシステムに向けて前記実行開始情報を送信することを特徴とする生産管理装置。
【請求項３】
生産拠点に配置されている装置を管理する実行システムに前記装置を管理させるための生産管理装置であって、
前記装置を管理するために実行しようとする実行機能が設定される依頼システムと、前記実行システム及び前記依頼システムとコンピュータ・ネットワークを介して接続されているエージェントシステムと、前記エージェントシステムとコンピュータ・ネットワークを介して接続されている回答システムとを備えており、
前記依頼システムは、
前記実行機能の種類を示す機能名及び前記実行機能の実行対象となる生産拠点を機能設定部に設定する機能設定手段と、
前記実行機能の実行開始条件を開始条件設定部に設定する開始条件設定手段と、
前記実行システムが前記実行機能を実行することにより得られる実行結果を通報機器に出力する方法である結果通知方法を通知方法設定部に設定する通知方法設定手段と、
前記機能設定部に設定された機能名及び生産拠点、前記開始条件設定部に設定された実行開始条件並びに前記通知方法設定部に設定された結果通知方法を実行開始情報として前記エージェントシステムに向けて送信する実行開始情報送信手段とを有し、
前記エージェントシステムは、
前記実行開始情報送信手段から送信された実行開始情報を受信する実行開始情報受信手段と、
前記実行開始情報受信手段が受信した実行開始情報に含まれる実行開始条件が満たされているか否かを判断し、前記実行開始条件が満たされていると判断する場合に、前記実行開始情報受信手段が受信した実行開始情報に含まれる機能名が示す実行機能を、前記実行開始情報受信手段が受信した実行開始情報に含まれる生産拠点において動作する実行システムに実行開始するよう指示すると共に、前記実行システムが指示された実行機能を実行することにより得た実行結果を前記実行システムから受信し、受信した実行結果を結果返却部に保存し、前記実行開始条件が満たされていないと判断する場合に、前記実行システムが前記実行開始条件を満たしているか否かを定期的に検査する機能実行手段と、
前記結果返却部に保存されている実行結果及び前記実行開始情報受信手段が受信した実行開始情報に含まれる結果通知方法を実行結果情報として前記回答システムに向けて送信する結果送信手段とを有し、
前記回答システムは、
前記結果送信手段から送信された実行結果情報を受信する結果受信手段と、
前記結果受信手段が受信した実行結果情報に含まれる結果通知方法に基づき、前記結果受信手段が受信した実行結果情報に含まれる実行結果を通報機器に出力する結果通知手段とを有し、
前記結果送信手段は、経由するエージェントシステムの負荷の総和が最小となるように複数のエージェントシステムを経由して前記回答システムに向けて前記実行結果情報を送信することを特徴とする生産管理装置。
【請求項４】
生産拠点に配置されている装置を管理する実行システムに前記装置を管理させるための生産管理装置であって、
前記装置を管理するために実行しようとする実行機能が設定される依頼システムと、前記実行システム及び前記依頼システムとコンピュータ・ネットワークを介して接続されているエージェントシステムと、前記エージェントシステムとコンピュータ・ネットワークを介して接続されている回答システムとを備えており、
前記依頼システムは、
前記実行機能の種類を示す機能名及び前記実行機能の実行対象となる生産拠点を機能設定部に設定する機能設定手段と、
前記実行機能の実行開始条件を開始条件設定部に設定する開始条件設定手段と、
前記実行システムが前記実行機能を実行することにより得られる実行結果を通報機器に出力する方法である結果通知方法を通知方法設定部に設定する通知方法設定手段と、
前記機能設定部に設定された機能名及び生産拠点、前記開始条件設定部に設定された実行開始条件並びに前記通知方法設定部に設定された結果通知方法を実行開始情報として前記エージェントシステムに向けて送信する実行開始情報送信手段とを有し、
前記エージェントシステムは、
前記実行開始情報送信手段から送信された実行開始情報を受信する実行開始情報受信手段と、
前記実行開始情報受信手段が受信した実行開始情報に含まれる実行開始条件が満たされているか否かを判断し、前記実行開始条件が満たされていると判断する場合に、前記実行開始情報受信手段が受信した実行開始情報に含まれる機能名が示す実行機能を、前記実行開始情報受信手段が受信した実行開始情報に含まれる生産拠点において動作する実行システムに実行開始するよう指示すると共に、前記実行システムが指示された実行機能を実行することにより得た実行結果を前記実行システムから受信し、受信した実行結果を結果返却部に保存し、前記実行開始条件が満たされていないと判断する場合に、前記実行システムが前記実行開始条件を満たしているか否かを定期的に検査する機能実行手段と、
前記結果返却部に保存されている実行結果及び前記実行開始情報受信手段が受信した実行開始情報に含まれる結果通知方法を実行結果情報として前記回答システムに向けて送信する結果送信手段とを有し、
前記回答システムは、
前記結果送信手段から送信された実行結果情報を受信する結果受信手段と、
前記結果受信手段が受信した実行結果情報に含まれる結果通知方法に基づき、前記結果受信手段が受信した実行結果情報に含まれる実行結果を通報機器に出力する結果通知手段とを有し、
前記結果送信手段は、経由するエージェントシステムの数が最小となるように複数のエージェントシステムを経由して前記回答システムに向けて前記実行結果情報を送信することを特徴とする生産管理装置。
【請求項５】
生産拠点に配置されている装置を管理する実行システムに前記装置を管理させるための生産管理装置であって、
前記装置を管理するために実行しようとする実行機能が設定される依頼システムと、前記実行システム及び前記依頼システムとコンピュータ・ネットワークを介して接続されているエージェントシステムと、前記エージェントシステムとコンピュータ・ネットワークを介して接続されている回答システムとを備えており、
前記依頼システムは、
前記実行機能の種類を示す機能名及び前記実行機能の実行対象となる生産拠点を機能設定部に設定する機能設定手段と、
前記実行機能の実行終了条件を終了条件設定部に設定する終了条件設定手段と、
前記実行システムが前記実行機能を実行することにより得られる実行結果を通報機器に出力する方法である結果通知方法を通知方法設定部に設定する通知方法設定手段と、
前記機能設定部に設定された機能名及び生産拠点、前記終了条件設定部に設定された実行終了条件並びに前記通知方法設定部に設定された結果通知方法を実行終了情報として前記エージェントシステムに向けて送信する実行終了情報送信手段とを有し、
前記エージェントシステムは、
前記実行終了情報送信手段から送信された実行終了情報を受信する実行終了情報受信手段と、
前記実行終了情報受信手段が受信した実行終了情報に含まれる実行終了条件が満たされているか否かを判断し、前記実行終了条件が満たされていると判断する場合に、前記実行終了情報受信手段が受信した実行終了情報に含まれる機能名が示す実行機能を、前記実行終了情報受信手段が受信した実行終了情報に含まれる生産拠点において動作する実行システムに実行終了するよう指示すると共に、前記実行システムが指示された実行機能を実行することにより得た実行結果を前記実行システムから受信し、受信した実行結果を結果返却部に保存し、前記実行終了条件が満たされていないと判断する場合に、前記実行システムが前記実行終了条件を満たしているか否かを定期的に検査する機能終了手段と、
前記結果返却部に保存されている実行結果及び前記実行終了情報受信手段が受信した実行終了情報に含まれる結果通知方法を実行結果情報として前記回答システムに向けて送信する結果送信手段とを有し、
前記回答システムは、
前記結果送信手段から送信された実行結果情報を受信する結果受信手段と、
前記結果受信手段が受信した実行結果情報に含まれる結果通知方法に基づき、前記結果受信手段が受信した実行結果情報に含まれる実行結果を通報機器に出力する結果通知手段とを有し、
前記実行終了情報送信手段は、経由するエージェントシステムの負荷の総和が最小となるように複数のエージェントシステムを経由して最終の送信先であるエージェントシステムに向けて前記実行終了情報を送信することを特徴とする生産管理装置。
【請求項６】
生産拠点に配置されている装置を管理する実行システムに前記装置を管理させるための生産管理装置であって、
前記装置を管理するために実行しようとする実行機能が設定される依頼システムと、前記実行システム及び前記依頼システムとコンピュータ・ネットワークを介して接続されているエージェントシステムと、前記エージェントシステムとコンピュータ・ネットワークを介して接続されている回答システムとを備えており、
前記依頼システムは、
前記実行機能の種類を示す機能名及び前記実行機能の実行対象となる生産拠点を機能設定部に設定する機能設定手段と、
前記実行機能の実行終了条件を終了条件設定部に設定する終了条件設定手段と、
前記実行システムが前記実行機能を実行することにより得られる実行結果を通報機器に出力する方法である結果通知方法を通知方法設定部に設定する通知方法設定手段と、
前記機能設定部に設定された機能名及び生産拠点、前記終了条件設定部に設定された実行終了条件並びに前記通知方法設定部に設定された結果通知方法を実行終了情報として前記エージェントシステムに向けて送信する実行終了情報送信手段とを有し、
前記エージェントシステムは、
前記実行終了情報送信手段から送信された実行終了情報を受信する実行終了情報受信手段と、
前記実行終了情報受信手段が受信した実行終了情報に含まれる実行終了条件が満たされているか否かを判断し、前記実行終了条件が満たされていると判断する場合に、前記実行終了情報受信手段が受信した実行終了情報に含まれる機能名が示す実行機能を、前記実行終了情報受信手段が受信した実行終了情報に含まれる生産拠点において動作する実行システムに実行終了するよう指示すると共に、前記実行システムが指示された実行機能を実行することにより得た実行結果を前記実行システムから受信し、受信した実行結果を結果返却部に保存し、前記実行終了条件が満たされていないと判断する場合に、前記実行システムが前記実行終了条件を満たしているか否かを定期的に検査する機能終了手段と、
前記結果返却部に保存されている実行結果及び前記実行終了情報受信手段が受信した実行終了情報に含まれる結果通知方法を実行結果情報として前記回答システムに向けて送信する結果送信手段とを有し、
前記回答システムは、
前記結果送信手段から送信された実行結果情報を受信する結果受信手段と、
前記結果受信手段が受信した実行結果情報に含まれる結果通知方法に基づき、前記結果受信手段が受信した実行結果情報に含まれる実行結果を通報機器に出力する結果通知手段とを有し、
前記実行終了情報送信手段は、経由するエージェントシステムの数が最小となるように複数のエージェントシステムを経由して最終の送信先であるエージェントシステムに向けて前記実行終了情報を送信することを特徴とする生産管理装置。
【請求項７】
生産拠点に配置されている装置を管理する実行システムに前記装置を管理させるための生産管理装置であって、
前記装置を管理するために実行しようとする実行機能が設定される依頼システムと、前記実行システム及び前記依頼システムとコンピュータ・ネットワークを介して接続されているエージェントシステムと、前記エージェントシステムとコンピュータ・ネットワークを介して接続されている回答システムとを備えており、
前記依頼システムは、
前記実行機能の種類を示す機能名及び前記実行機能の実行対象となる生産拠点を機能設定部に設定する機能設定手段と、
前記実行機能の実行終了条件を終了条件設定部に設定する終了条件設定手段と、
前記実行システムが前記実行機能を実行することにより得られる実行結果を通報機器に出力する方法である結果通知方法を通知方法設定部に設定する通知方法設定手段と、
前記機能設定部に設定された機能名及び生産拠点、前記終了条件設定部に設定された実行終了条件並びに前記通知方法設定部に設定された結果通知方法を実行終了情報として前記エージェントシステムに向けて送信する実行終了情報送信手段とを有し、
前記エージェントシステムは、
前記実行終了情報送信手段から送信された実行終了情報を受信する実行終了情報受信手段と、
前記実行終了情報受信手段が受信した実行終了情報に含まれる実行終了条件が満たされているか否かを判断し、前記実行終了条件が満たされていると判断する場合に、前記実行終了情報受信手段が受信した実行終了情報に含まれる機能名が示す実行機能を、前記実行終了情報受信手段が受信した実行終了情報に含まれる生産拠点において動作する実行システムに実行終了するよう指示すると共に、前記実行システムが指示された実行機能を実行することにより得た実行結果を前記実行システムから受信し、受信した実行結果を結果返却部に保存し、前記実行終了条件が満たされていないと判断する場合に、前記実行システムが前記実行終了条件を満たしているか否かを定期的に検査する機能終了手段と、
前記結果返却部に保存されている実行結果及び前記実行終了情報受信手段が受信した実行終了情報に含まれる結果通知方法を実行結果情報として前記回答システムに向けて送信する結果送信手段とを有し、
前記回答システムは、
前記結果送信手段から送信された実行結果情報を受信する結果受信手段と、
前記結果受信手段が受信した実行結果情報に含まれる結果通知方法に基づき、前記結果受信手段が受信した実行結果情報に含まれる実行結果を通報機器に出力する結果通知手段とを有し、
前記結果送信手段は、経由するエージェントシステムの負荷の総和が最小となるように複数のエージェントシステムを経由して前記回答システムに向けて前記実行結果情報を送信することを特徴とする生産管理装置。
【請求項８】
生産拠点に配置されている装置を管理する実行システムに前記装置を管理させるための生産管理装置であって、
前記装置を管理するために実行しようとする実行機能が設定される依頼システムと、前記実行システム及び前記依頼システムとコンピュータ・ネットワークを介して接続されているエージェントシステムと、前記エージェントシステムとコンピュータ・ネットワークを介して接続されている回答システムとを備えており、
前記依頼システムは、
前記実行機能の種類を示す機能名及び前記実行機能の実行対象となる生産拠点を機能設定部に設定する機能設定手段と、
前記実行機能の実行終了条件を終了条件設定部に設定する終了条件設定手段と、
前記実行システムが前記実行機能を実行することにより得られる実行結果を通報機器に出力する方法である結果通知方法を通知方法設定部に設定する通知方法設定手段と、
前記機能設定部に設定された機能名及び生産拠点、前記終了条件設定部に設定された実行終了条件並びに前記通知方法設定部に設定された結果通知方法を実行終了情報として前記エージェントシステムに向けて送信する実行終了情報送信手段とを有し、
前記エージェントシステムは、
前記実行終了情報送信手段から送信された実行終了情報を受信する実行終了情報受信手段と、
前記実行終了情報受信手段が受信した実行終了情報に含まれる実行終了条件が満たされているか否かを判断し、前記実行終了条件が満たされていると判断する場合に、前記実行終了情報受信手段が受信した実行終了情報に含まれる機能名が示す実行機能を、前記実行終了情報受信手段が受信した実行終了情報に含まれる生産拠点において動作する実行システムに実行終了するよう指示すると共に、前記実行システムが指示された実行機能を実行することにより得た実行結果を前記実行システムから受信し、受信した実行結果を結果返却部に保存し、前記実行終了条件が満たされていないと判断する場合に、前記実行システムが前記実行終了条件を満たしているか否かを定期的に検査する機能終了手段と、
前記結果返却部に保存されている実行結果及び前記実行終了情報受信手段が受信した実行終了情報に含まれる結果通知方法を実行結果情報として前記回答システムに向けて送信する結果送信手段とを有し、
前記回答システムは、
前記結果送信手段から送信された実行結果情報を受信する結果受信手段と、
前記結果受信手段が受信した実行結果情報に含まれる結果通知方法に基づき、前記結果受信手段が受信した実行結果情報に含まれる実行結果を通報機器に出力する結果通知手段とを有し、
前記結果送信手段は、経由するエージェントシステムの数が最小となるように複数のエージェントシステムを経由して前記回答システムに向けて前記実行結果情報を送信することを特徴とする生産管理装置。
【請求項９】
生産拠点に配置されている装置を管理する実行システムに前記装置を管理させるための生産管理装置であって、
前記装置を管理するために実行しようとする実行機能が設定される依頼システムと、前記実行システム及び前記依頼システムとコンピュータ・ネットワークを介して接続されているエージェントシステムと、前記エージェントシステムとコンピュータ・ネットワークを介して接続されている回答システムとを備えており、
前記依頼システムは、
前記実行機能の種類を示す機能名及び前記実行機能の実行対象となる生産拠点を機能設定部に設定する機能設定手段と、
前記実行機能の実行開始条件を開始条件設定部に設定する開始条件設定手段と、
前記実行機能の実行終了条件を終了条件設定部に設定する終了条件設定手段と、
前記実行システムが前記実行機能を実行することにより得られる実行結果を通報機器に出力する方法である結果通知方法を通知方法設定部に設定する通知方法設定手段と、
前記機能設定部に設定された機能名及び生産拠点、前記開始条件設定部に設定された実行開始条件、前記終了条件設定部に設定された実行終了条件並びに前記通知方法設定部に設定された結果通知方法を実行情報として前記エージェントシステムに向けて送信する実行情報送信手段とを有し、
前記エージェントシステムは、
前記実行情報送信手段から送信された実行情報を受信する実行情報受信手段と、
前記実行情報受信手段が受信した実行情報に含まれる実行開始条件が満たされているか否かを判断し、前記実行開始条件が満たされていると判断する場合に、前記実行情報受信手段が受信した実行情報に含まれる機能名が示す実行機能を、前記実行情報受信手段が受信した実行情報に含まれる生産拠点において動作する実行システムに実行開始するよう指示すると共に、前記実行システムが指示された実行機能を実行することにより得た実行結果を前記実行システムから受信し、受信した実行結果を結果返却部に保存し、前記実行開始条件が満たされていないと判断する場合に、前記実行システムが前記実行開始条件を満たしているか否かを定期的に検査する機能実行手段と、
前記実行情報受信手段が受信した実行情報に含まれる実行終了条件が満たされているか否かを判断し、前記実行終了条件が満たされていると判断する場合に、前記実行情報受信手段が受信した実行情報に含まれる機能名が示す実行機能を、前記実行情報受信手段が受信した実行情報に含まれる生産拠点において動作する実行システムに実行終了するよう指示すると共に、前記実行システムが指示された実行機能を実行することにより得た実行結果を前記実行システムから受信し、受信した実行結果を結果返却部に保存し、前記実行終了条件が満たされていないと判断する場合に、前記実行システムが前記実行終了条件を満たしているか否かを定期的に検査する機能終了手段と、
前記結果返却部に保存されている実行結果及び前記実行情報受信手段が受信した実行情報に含まれる結果通知方法を実行結果情報として前記回答システムに向けて送信する結果送信手段とを有し、
前記回答システムは、
前記結果送信手段から送信された実行結果情報を受信する結果受信手段と、
前記結果受信手段が受信した実行結果情報に含まれる結果通知方法に基づき、前記結果受信手段が受信した実行結果情報に含まれる実行結果を通報機器に出力する結果通知手段とを有し、
前記実行情報送信手段は、経由するエージェントシステムの負荷の総和が最小となるように複数のエージェントシステムを経由して最終の送信先であるエージェントシステムに向けて前記実行情報を送信することを特徴とする生産管理装置。
【請求項１０】
生産拠点に配置されている装置を管理する実行システムに前記装置を管理させるための生産管理装置であって、
前記装置を管理するために実行しようとする実行機能が設定される依頼システムと、前記実行システム及び前記依頼システムとコンピュータ・ネットワークを介して接続されているエージェントシステムと、前記エージェントシステムとコンピュータ・ネットワークを介して接続されている回答システムとを備えており、
前記依頼システムは、
前記実行機能の種類を示す機能名及び前記実行機能の実行対象となる生産拠点を機能設定部に設定する機能設定手段と、
前記実行機能の実行開始条件を開始条件設定部に設定する開始条件設定手段と、
前記実行機能の実行終了条件を終了条件設定部に設定する終了条件設定手段と、
前記実行システムが前記実行機能を実行することにより得られる実行結果を通報機器に出力する方法である結果通知方法を通知方法設定部に設定する通知方法設定手段と、
前記機能設定部に設定された機能名及び生産拠点、前記開始条件設定部に設定された実行開始条件、前記終了条件設定部に設定された実行終了条件並びに前記通知方法設定部に設定された結果通知方法を実行情報として前記エージェントシステムに向けて送信する実行情報送信手段とを有し、
前記エージェントシステムは、
前記実行情報送信手段から送信された実行情報を受信する実行情報受信手段と、
前記実行情報受信手段が受信した実行情報に含まれる実行開始条件が満たされているか否かを判断し、前記実行開始条件が満たされていると判断する場合に、前記実行情報受信手段が受信した実行情報に含まれる機能名が示す実行機能を、前記実行情報受信手段が受信した実行情報に含まれる生産拠点において動作する実行システムに実行開始するよう指示すると共に、前記実行システムが指示された実行機能を実行することにより得た実行結果を前記実行システムから受信し、受信した実行結果を結果返却部に保存し、前記実行開始条件が満たされていないと判断する場合に、前記実行システムが前記実行開始条件を満たしているか否かを定期的に検査する機能実行手段と、
前記実行情報受信手段が受信した実行情報に含まれる実行終了条件が満たされているか否かを判断し、前記実行終了条件が満たされていると判断する場合に、前記実行情報受信手段が受信した実行情報に含まれる機能名が示す実行機能を、前記実行情報受信手段が受信した実行情報に含まれる生産拠点において動作する実行システムに実行終了するよう指示すると共に、前記実行システムが指示された実行機能を実行することにより得た実行結果を前記実行システムから受信し、受信した実行結果を結果返却部に保存し、前記実行終了条件が満たされていないと判断する場合に、前記実行システムが前記実行終了条件を満たしているか否かを定期的に検査する機能終了手段と、
前記結果返却部に保存されている実行結果及び前記実行情報受信手段が受信した実行情報に含まれる結果通知方法を実行結果情報として前記回答システムに向けて送信する結果送信手段とを有し、
前記回答システムは、
前記結果送信手段から送信された実行結果情報を受信する結果受信手段と、
前記結果受信手段が受信した実行結果情報に含まれる結果通知方法に基づき、前記結果受信手段が受信した実行結果情報に含まれる実行結果を通報機器に出力する結果通知手段とを有し、
前記実行情報送信手段は、経由するエージェントシステムの数が最小となるように複数のエージェントシステムを経由して最終の送信先であるエージェントシステムに向けて前記実行情報を送信することを特徴とする生産管理装置。
【請求項１１】
生産拠点に配置されている装置を管理する実行システムに前記装置を管理させるための生産管理装置であって、
前記装置を管理するために実行しようとする実行機能が設定される依頼システムと、前記実行システム及び前記依頼システムとコンピュータ・ネットワークを介して接続されているエージェントシステムと、前記エージェントシステムとコンピュータ・ネットワークを介して接続されている回答システムとを備えており、
前記依頼システムは、
前記実行機能の種類を示す機能名及び前記実行機能の実行対象となる生産拠点を機能設定部に設定する機能設定手段と、
前記実行機能の実行開始条件を開始条件設定部に設定する開始条件設定手段と、
前記実行機能の実行終了条件を終了条件設定部に設定する終了条件設定手段と、
前記実行システムが前記実行機能を実行することにより得られる実行結果を通報機器に出力する方法である結果通知方法を通知方法設定部に設定する通知方法設定手段と、
前記機能設定部に設定された機能名及び生産拠点、前記開始条件設定部に設定された実行開始条件、前記終了条件設定部に設定された実行終了条件並びに前記通知方法設定部に設定された結果通知方法を実行情報として前記エージェントシステムに向けて送信する実行情報送信手段とを有し、
前記エージェントシステムは、
前記実行情報送信手段から送信された実行情報を受信する実行情報受信手段と、
前記実行情報受信手段が受信した実行情報に含まれる実行開始条件が満たされているか否かを判断し、前記実行開始条件が満たされていると判断する場合に、前記実行情報受信手段が受信した実行情報に含まれる機能名が示す実行機能を、前記実行情報受信手段が受信した実行情報に含まれる生産拠点において動作する実行システムに実行開始するよう指示すると共に、前記実行システムが指示された実行機能を実行することにより得た実行結果を前記実行システムから受信し、受信した実行結果を結果返却部に保存し、前記実行開始条件が満たされていないと判断する場合に、前記実行システムが前記実行開始条件を満たしているか否かを定期的に検査する機能実行手段と、
前記実行情報受信手段が受信した実行情報に含まれる実行終了条件が満たされているか否かを判断し、前記実行終了条件が満たされていると判断する場合に、前記実行情報受信手段が受信した実行情報に含まれる機能名が示す実行機能を、前記実行情報受信手段が受信した実行情報に含まれる生産拠点において動作する実行システムに実行終了するよう指示すると共に、前記実行システムが指示された実行機能を実行することにより得た実行結果を前記実行システムから受信し、受信した実行結果を結果返却部に保存し、前記実行終了条件が満たされていないと判断する場合に、前記実行システムが前記実行終了条件を満たしているか否かを定期的に検査する機能終了手段と、
前記結果返却部に保存されている実行結果及び前記実行情報受信手段が受信した実行情報に含まれる結果通知方法を実行結果情報として前記回答システムに向けて送信する結果送信手段とを有し、
前記回答システムは、
前記結果送信手段から送信された実行結果情報を受信する結果受信手段と、
前記結果受信手段が受信した実行結果情報に含まれる結果通知方法に基づき、前記結果受信手段が受信した実行結果情報に含まれる実行結果を通報機器に出力する結果通知手段とを有し、
前記結果送信手段は、経由するエージェントシステムの負荷の総和が最小となるように複数のエージェントシステムを経由して前記回答システムに向けて前記実行結果情報を送信することを特徴とする生産管理装置。
【請求項１２】
生産拠点に配置されている装置を管理する実行システムに前記装置を管理させるための生産管理装置であって、
前記装置を管理するために実行しようとする実行機能が設定される依頼システムと、前記実行システム及び前記依頼システムとコンピュータ・ネットワークを介して接続されているエージェントシステムと、前記エージェントシステムとコンピュータ・ネットワークを介して接続されている回答システムとを備えており、
前記依頼システムは、
前記実行機能の種類を示す機能名及び前記実行機能の実行対象となる生産拠点を機能設定部に設定する機能設定手段と、
前記実行機能の実行開始条件を開始条件設定部に設定する開始条件設定手段と、
前記実行機能の実行終了条件を終了条件設定部に設定する終了条件設定手段と、
前記実行システムが前記実行機能を実行することにより得られる実行結果を通報機器に出力する方法である結果通知方法を通知方法設定部に設定する通知方法設定手段と、
前記機能設定部に設定された機能名及び生産拠点、前記開始条件設定部に設定された実行開始条件、前記終了条件設定部に設定された実行終了条件並びに前記通知方法設定部に設定された結果通知方法を実行情報として前記エージェントシステムに向けて送信する実行情報送信手段とを有し、
前記エージェントシステムは、
前記実行情報送信手段から送信された実行情報を受信する実行情報受信手段と、
前記実行情報受信手段が受信した実行情報に含まれる実行開始条件が満たされているか否かを判断し、前記実行開始条件が満たされていると判断する場合に、前記実行情報受信手段が受信した実行情報に含まれる機能名が示す実行機能を、前記実行情報受信手段が受信した実行情報に含まれる生産拠点において動作する実行システムに実行開始するよう指示すると共に、前記実行システムが指示された実行機能を実行することにより得た実行結果を前記実行システムから受信し、受信した実行結果を結果返却部に保存し、前記実行開始条件が満たされていないと判断する場合に、前記実行システムが前記実行開始条件を満たしているか否かを定期的に検査する機能実行手段と、
前記実行情報受信手段が受信した実行情報に含まれる実行終了条件が満たされているか否かを判断し、前記実行終了条件が満たされていると判断する場合に、前記実行情報受信手段が受信した実行情報に含まれる機能名が示す実行機能を、前記実行情報受信手段が受信した実行情報に含まれる生産拠点において動作する実行システムに実行終了するよう指示すると共に、前記実行システムが指示された実行機能を実行することにより得た実行結果を前記実行システムから受信し、受信した実行結果を結果返却部に保存し、前記実行終了条件が満たされていないと判断する場合に、前記実行システムが前記実行終了条件を満たしているか否かを定期的に検査する機能終了手段と、
前記結果返却部に保存されている実行結果及び前記実行情報受信手段が受信した実行情報に含まれる結果通知方法を実行結果情報として前記回答システムに向けて送信する結果送信手段とを有し、
前記回答システムは、
前記結果送信手段から送信された実行結果情報を受信する結果受信手段と、
前記結果受信手段が受信した実行結果情報に含まれる結果通知方法に基づき、前記結果受信手段が受信した実行結果情報に含まれる実行結果を通報機器に出力する結果通知手段とを有し、
前記結果送信手段は、経由するエージェントシステムの数が最小となるように複数のエージェントシステムを経由して前記回答システムに向けて前記実行結果情報を送信することを特徴とする生産管理装置。
【請求項１３】
生産拠点に配置されている装置を管理する実行システムに前記装置を管理させるための生産管理方法であって、
前記装置を管理するために実行しようとする実行機能が設定される依頼システムにおいて、前記実行機能の種類を示す機能名及び前記実行機能の実行対象となる生産拠点を機能設定部に設定する機能設定工程と、
前記依頼システムにおいて、前記実行機能の実行開始条件又は実行終了条件を開始条件設定部又は終了条件設定部に設定する実行条件設定工程と、
前記依頼システムにおいて、前記実行システムが前記実行機能を実行することにより得られる実行結果を通報機器に出力する方法である結果通知方法を通知方法設定部に設定する通知方法設定工程と、
前記依頼システムが、前記機能設定部に設定された機能名及び生産拠点、前記開始条件設定部又は前記終了条件設定部に設定された実行開始条件又は実行終了条件、並びに前記通知方法設定部に設定された結果通知方法を実行情報として、前記実行システム及び前記依頼システムとコンピュータ・ネットワークを介して接続されているエージェントシステムに向けて送信する実行情報送信工程と、
前記エージェントシステムが、前記実行情報送信工程において送信された実行情報を受信する実行情報受信工程と、
前記エージェントシステムが、前記実行情報受信工程において受信された実行情報に含まれる実行開始条件又は実行終了条件が満たされているか否かを判断し、前記実行開始条件又は前記実行終了条件が満たされていると判断する場合に、前記実行情報受信工程において受信された実行情報に含まれる機能名が示す実行機能を、前記実行情報受信工程において受信された実行情報に含まれる生産拠点において動作する実行システムに実行開始又は実行終了するように指示すると共に、前記実行システムが指示された実行機能を実行することにより得た実行結果を前記実行システムから受信し、受信した実行結果を結果返却部に保存し、前記実行開始条件又は前記実行終了条件が満たされていないと判断する場合に、前記実行システムが前記実行開始条件又は前記実行終了条件を満たしているか否かを定期的に検査する機能制御工程と、
前記エージェントシステムが、前記結果返却部に保存されている実行結果及び前記実行情報受信工程において受信された実行情報に含まれる結果通知方法を実行結果情報として、前記エージェントシステムとコンピュータ・ネットワークを介して接続されている回答システムに向けて送信する結果送信工程と、
前記回答システムが、前記結果送信工程において送信された実行結果情報を受信する結果受信工程と、
前記回答システムが、前記結果受信工程において受信された実行結果情報に含まれる結果通知方法に基づき、前記結果受信工程において受信された実行結果情報に含まれる実行結果を通報機器に出力する結果通知工程とを備え、
前記実行情報送信工程は、経由するエージェントシステムの負荷の総和が最小となるように複数のエージェントシステムを経由して最終の送信先であるエージェントシステムに向けて前記実行情報を送信する工程を含むことを特徴とする生産管理方法。
【請求項１４】
生産拠点に配置されている装置を管理する実行システムに前記装置を管理させるための生産管理方法であって、
前記装置を管理するために実行しようとする実行機能が設定される依頼システムにおいて、前記実行機能の種類を示す機能名及び前記実行機能の実行対象となる生産拠点を機能設定部に設定する機能設定工程と、
前記依頼システムにおいて、前記実行機能の実行開始条件又は実行終了条件を開始条件設定部又は終了条件設定部に設定する実行条件設定工程と、
前記依頼システムにおいて、前記実行システムが前記実行機能を実行することにより得られる実行結果を通報機器に出力する方法である結果通知方法を通知方法設定部に設定する通知方法設定工程と、
前記依頼システムが、前記機能設定部に設定された機能名及び生産拠点、前記開始条件設定部又は前記終了条件設定部に設定された実行開始条件又は実行終了条件、並びに前記通知方法設定部に設定された結果通知方法を実行情報として、前記実行システム及び前記依頼システムとコンピュータ・ネットワークを介して接続されているエージェントシステムに向けて送信する実行情報送信工程と、
前記エージェントシステムが、前記実行情報送信工程において送信された実行情報を受信する実行情報受信工程と、
前記エージェントシステムが、前記実行情報受信工程において受信された実行情報に含まれる実行開始条件又は実行終了条件が満たされているか否かを判断し、前記実行開始条件又は前記実行終了条件が満たされていると判断する場合に、前記実行情報受信工程において受信された実行情報に含まれる機能名が示す実行機能を、前記実行情報受信工程において受信された実行情報に含まれる生産拠点において動作する実行システムに実行開始又は実行終了するように指示すると共に、前記実行システムが指示された実行機能を実行することにより得た実行結果を前記実行システムから受信し、受信した実行結果を結果返却部に保存し、前記実行開始条件又は前記実行終了条件が満たされていないと判断する場合に、前記実行システムが前記実行開始条件又は前記実行終了条件を満たしているか否かを定期的に検査する機能制御工程と、
前記エージェントシステムが、前記結果返却部に保存されている実行結果及び前記実行情報受信工程において受信された実行情報に含まれる結果通知方法を実行結果情報として、前記エージェントシステムとコンピュータ・ネットワークを介して接続されている回答システムに向けて送信する結果送信工程と、
前記回答システムが、前記結果送信工程において送信された実行結果情報を受信する結果受信工程と、
前記回答システムが、前記結果受信工程において受信された実行結果情報に含まれる結果通知方法に基づき、前記結果受信工程において受信された実行結果情報に含まれる実行結果を通報機器に出力する結果通知工程とを備え、
前記実行情報送信工程は、経由するエージェントシステムの数が最小となるように複数のエージェントシステムを経由して最終の送信先であるエージェントシステムに向けて前記実行情報を送信する工程を含むことを特徴とする生産管理方法。
【請求項１５】
生産拠点に配置されている装置を管理する実行システムに前記装置を管理させるための生産管理方法であって、
前記装置を管理するために実行しようとする実行機能が設定される依頼システムにおいて、前記実行機能の種類を示す機能名及び前記実行機能の実行対象となる生産拠点を機能設定部に設定する機能設定工程と、
前記依頼システムにおいて、前記実行機能の実行開始条件又は実行終了条件を開始条件設定部又は終了条件設定部に設定する実行条件設定工程と、
前記依頼システムにおいて、前記実行システムが前記実行機能を実行することにより得られる実行結果を通報機器に出力する方法である結果通知方法を通知方法設定部に設定する通知方法設定工程と、
前記依頼システムが、前記機能設定部に設定された機能名及び生産拠点、前記開始条件設定部又は前記終了条件設定部に設定された実行開始条件又は実行終了条件、並びに前記通知方法設定部に設定された結果通知方法を実行情報として、前記実行システム及び前記依頼システムとコンピュータ・ネットワークを介して接続されているエージェントシステムに向けて送信する実行情報送信工程と、
前記エージェントシステムが、前記実行情報送信工程において送信された実行情報を受信する実行情報受信工程と、
前記エージェントシステムが、前記実行情報受信工程において受信された実行情報に含まれる実行開始条件又は実行終了条件が満たされているか否かを判断し、前記実行開始条件又は前記実行終了条件が満たされていると判断する場合に、前記実行情報受信工程において受信された実行情報に含まれる機能名が示す実行機能を、前記実行情報受信工程において受信された実行情報に含まれる生産拠点において動作する実行システムに実行開始又は実行終了するように指示すると共に、前記実行システムが指示された実行機能を実行することにより得た実行結果を前記実行システムから受信し、受信した実行結果を結果返却部に保存し、前記実行開始条件又は前記実行終了条件が満たされていないと判断する場合に、前記実行システムが前記実行開始条件又は前記実行終了条件を満たしているか否かを定期的に検査する機能制御工程と、
前記エージェントシステムが、前記結果返却部に保存されている実行結果及び前記実行情報受信工程において受信された実行情報に含まれる結果通知方法を実行結果情報として、前記エージェントシステムとコンピュータ・ネットワークを介して接続されている回答システムに向けて送信する結果送信工程と、
前記回答システムが、前記結果送信工程において送信された実行結果情報を受信する結果受信工程と、
前記回答システムが、前記結果受信工程において受信された実行結果情報に含まれる結果通知方法に基づき、前記結果受信工程において受信された実行結果情報に含まれる実行結果を通報機器に出力する結果通知工程とを備え、
前記結果送信工程は、経由するエージェントシステムの負荷の総和が最小となるように複数のエージェントシステムを経由して前記回答システムに向けて前記実行結果情報を送信する工程を含むことを特徴とする生産管理方法。
【請求項１６】
生産拠点に配置されている装置を管理する実行システムに前記装置を管理させるための生産管理方法であって、
前記装置を管理するために実行しようとする実行機能が設定される依頼システムにおいて、前記実行機能の種類を示す機能名及び前記実行機能の実行対象となる生産拠点を機能設定部に設定する機能設定工程と、
前記依頼システムにおいて、前記実行機能の実行開始条件又は実行終了条件を開始条件設定部又は終了条件設定部に設定する実行条件設定工程と、
前記依頼システムにおいて、前記実行システムが前記実行機能を実行することにより得られる実行結果を通報機器に出力する方法である結果通知方法を通知方法設定部に設定する通知方法設定工程と、
前記依頼システムが、前記機能設定部に設定された機能名及び生産拠点、前記開始条件設定部又は前記終了条件設定部に設定された実行開始条件又は実行終了条件、並びに前記通知方法設定部に設定された結果通知方法を実行情報として、前記実行システム及び前記依頼システムとコンピュータ・ネットワークを介して接続されているエージェントシステムに向けて送信する実行情報送信工程と、
前記エージェントシステムが、前記実行情報送信工程において送信された実行情報を受信する実行情報受信工程と、
前記エージェントシステムが、前記実行情報受信工程において受信された実行情報に含まれる実行開始条件又は実行終了条件が満たされているか否かを判断し、前記実行開始条件又は前記実行終了条件が満たされていると判断する場合に、前記実行情報受信工程において受信された実行情報に含まれる機能名が示す実行機能を、前記実行情報受信工程において受信された実行情報に含まれる生産拠点において動作する実行システムに実行開始又は実行終了するように指示すると共に、前記実行システムが指示された実行機能を実行することにより得た実行結果を前記実行システムから受信し、受信した実行結果を結果返却部に保存し、前記実行開始条件又は前記実行終了条件が満たされていないと判断する場合に、前記実行システムが前記実行開始条件又は前記実行終了条件を満たしているか否かを定期的に検査する機能制御工程と、
前記エージェントシステムが、前記結果返却部に保存されている実行結果及び前記実行情報受信工程において受信された実行情報に含まれる結果通知方法を実行結果情報として、前記エージェントシステムとコンピュータ・ネットワークを介して接続されている回答システムに向けて送信する結果送信工程と、
前記回答システムが、前記結果送信工程において送信された実行結果情報を受信する結果受信工程と、
前記回答システムが、前記結果受信工程において受信された実行結果情報に含まれる結果通知方法に基づき、前記結果受信工程において受信された実行結果情報に含まれる実行結果を通報機器に出力する結果通知工程とを備え、
前記結果送信工程は、経由するエージェントシステムの数が最小となるように複数のエージェントシステムを経由して前記回答システムに向けて前記実行結果情報を送信する工程を含むことを特徴とする生産管理方法。
【発明の詳細な説明】
【０００１】
【発明の属する技術分野】
本発明は、製品の生産情報の検索、処理装置への指示又は生産計画の登録等の生産管理、特に、刻々と変化する様々な情報を利用することによって半導体の製造に関わる情報を管理する生産管理装置及び生産管理方法に関する。
【０００２】
【従来の技術】
以下、従来の生産管理装置を図２６（ａ）〜（ｃ）を参照しながら説明する。
【０００３】
従来の生産管理装置は、利用目体に応じて生産拠点に配置されている装置を管理する複数の実行システムであって、実行システムとしては、例えば図２６（ａ）のブロック図に示す情報検索システム１０（製品の生産情報の検索を行なう）、図２６（ｂ）のブロック図に示す装置指示システム２０（処理装置への指示を行なう）又は図２６（ｃ）のブロック図に示す生産計画登録システム３０（生産計画の登録を行なう）等が用いられてきている。
【０００４】
図２６（ａ）〜（ｃ）に示すように、情報検索システム１０、装置指示システム２０及び生産計画登録システム３０はそれぞれ機能設定手段（１１、２１、３１）、機能実行手段（１２、２２、３２）又は結果通知手段（１３、２３、３３）を備えている。
【０００５】
以下、情報検索システム１０を用いて生産情報の検索を行なう方法を図２６（ａ）を参照しながら説明する。
【０００６】
まず、情報検索システム１０を起動する。
【０００７】
次に、機能設定手段１１により、予め情報検索システム１０に登録されている検索方法の一覧表等から検索方法を選択した後、検索開始ボタン等を押下することにより検索の実行を指示する。
【０００８】
次に、機能実行手段２１により、機能設定手段１１で選択された検索方法に従って、例えばＳＱＬ文等を用いて検索を実行する。
【０００９】
次に、ＳＱＬ文等を用いた検索が完了し、検索結果が導き出された場合には、結果通知手段３１により検索結果をプリンター等に出力する。
【００１０】
以下、装置指示システム２０を用いて製品を処理する処理装置に対して処理の中断を指示する方法を図２６（ｂ）を参照しながら説明する。
【００１１】
まず、装置指示システム２０を起動する。
【００１２】
次に、機能設定手段２１により、予め装置指示システム２０に登録されている処理装置の一覧表等から処理を中断する処理装置を選択した後、処理を中断する理由をキーボードから入力して処理を中断するためのコマンドを設定し、その後、メニュー画面等において処理中断メニューを選択して処理の中断を指示する。
【００１３】
次に、機能実行手段２２により、機能設定手段２１で設定された処理を中断するためのコマンドを処理装置に対して実行する。
【００１４】
次に、コマンドの実行が完了し、処理装置からコマンドの実行結果が返ってきた場合には、結果通知手段２３によりコマンドの実行結果をＣＲＴ等の装置指示システム２０の専用画面に出力する。
【００１５】
以下、生産計画登録システム３０を用いて製品の生産計画の登録を行なう方法を図２６（ｃ）を参照しながら説明する。
【００１６】
まず、生産計画登録システム３０を起動する。
【００１７】
次に、機能設定手段３１により、マウス等を用いて製品の処理開始予定及び処理終了予定等を入力すると共に、バーコード等を用いて製品の納入先等を入力して生産計画を設定する。
【００１８】
次に、機能実行手段３２により、機能設定手段３１で設定された生産計画を処理装置に送信する。
【００１９】
次に、生産計画の送信が完了し、処理装置から送信結果が返ってきた場合には、結果通知手段３３により送信結果を生産計画登録システム３０が管理するテーブル等に登録する。
【００２０】
【発明が解決しようとする課題】
しかしながら、従来の生産管理装置を用いて生産情報の検索、処理装置への指示及び生産計画の登録等を行なう際には、利用目的に応じて個別の実行システムを起動した後、実行システム毎に異なるユーザインターフェースを用いて情報の入力又は設定を行なう必要があるため、利用者にとっては、実行システム毎に操作方法が異なるので操作方法がわかりにくいと共に、実行システム毎に備えられている機能がわかりにくいという問題点がある。
【００２１】
また、従来の生産管理装置を用いて生産情報の検索、処理装置への指示又は生産計画の登録等を行なった結果は、実行システム毎に異なるフォーマットで実行システム毎に異なる出力機器に出力されるため、利用者が出力された結果を誤解したり、結果が出力される出力機器を間違えたりするという問題点がある。
【００２２】
従って、従来の生産管理装置を用いる場合、利用者は実行システム毎に複雑な操作方法及び機能に習熟する必要がある。
【００２３】
また、従来の生産管理装置を用いて複数の生産拠点に配置されている装置に対して同じ生産情報の検索を行なう際には、各生産拠点の実行システムに対して別々に検索を行なう必要があるため、利用者にとっては検索のための操作に要する時間、すなわち情報を入手するまでの時間が長くなるという問題点がある。
【００２４】
さらに、従来の生産管理装置を用いる場合には、情報の検索をタイムリーに行なうことができなかったり、処理装置への指示が遅れることにより製品の歩留りが低下したり、又は処理装置の運用状況が変化（トラブルの解消等）した際の生産計画の登録変更が遅れたりするという問題点がある。
【００２５】
前記に鑑み、本発明は、生産拠点に配置されている装置を管理する実行システムの操作方法又は機能に習熟していなくても、生産拠点に配置されている装置を管理できるようにすることを目的とする。
【００２６】
【課題を解決するための手段】
前記の目的を達成するため、本発明は、生産拠点に配置されている装置を管理するために実行しようとする実行機能が設定される依頼システムから、生産拠点に配置されている装置を管理する実行システムに実行機能の実行を指示するエージェントシステムを介して、生産拠点に配置されている装置を管理するものである。
【００２７】
具体的には、本発明に係る第１の生産管理装置は、生産拠点に配置されている装置を管理する実行システムに装置を管理させるための生産管理装置を前提とし、装置を管理するために実行しようとする実行機能が設定される依頼システムと、実行システム及び依頼システムとコンピュータ・ネットワークを介して接続されているエージェントシステムとを備えており、依頼システムは、実行機能の種類を示す機能名及び実行機能の実行対象となる生産拠点を機能設定部に設定すると共に、実行機能の実行開始条件を開始条件設定部に設定する開始条件設定手段と、機能設定部に設定された機能名及び生産拠点並びに開始条件設定部に設定された実行開始条件を実行開始情報としてエージェントシステムに向けて送信する実行開始情報送信手段とを有し、エージェントシステムは、実行開始情報送信手段から送信された実行開始情報を受信する実行開始情報受信手段と、実行開始情報受信手段が受信した実行開始情報に含まれる実行開始条件が満たされているか否かを判断し、満たされていると判断する場合に、実行開始情報受信手段が受信した実行開始情報に含まれる機能名が示す実行機能を、実行開始情報受信手段が受信した実行開始情報に含まれる生産拠点において動作する実行システムに実行開始するよう指示すると共に、実行システムが指示された実行機能を実行することにより得た実行結果を実行システムから受信し、受信した実行結果を結果返却部に保存する機能実行手段と、結果返却部に保存されている実行結果を通報機器に出力する結果通知手段とを有する。
【００２８】
第１の生産管理装置によると、依頼システムにおいて実行機能の種類を示す機能名、実行機能の実行対象となる生産拠点及び実行機能の実行開始条件を設定すると、エージェントシステムは、設定された実行開始条件が満たされているときに、設定された生産拠点において動作する実行システムに、設定された機能名が示す実行機能を実行開始するよう指示するので、実行システムは実行機能を実行開始する。
【００２９】
従って、依頼システムにおいて、機能名、生産拠点及び実行開始条件を設定するだけで、設定された生産拠点において動作する実行システムは、設定された実行開始条件が満たされているときに、設定された機能名が示す実行機能を実行開始する。
【００３０】
また、第１の生産管理装置によると、結果通知手段が、実行システムが指示された実行機能を実行することにより得た実行結果を通報機器に出力するため、実行結果を共通のフォーマットで出力することができる。
【００３１】
第１の生産管理装置において、開始条件設定手段は、Ｗｅｂブラウザ、電子メールソフト又は電話を用いることにより、実行機能の種類を示す機能名及び実行機能の実行対象となる生産拠点を機能設定部に設定すると共に、実行機能の実行開始条件を開始条件設定部に設定することが好ましい。
【００３２】
第１の生産管理装置において、開始条件設定手段は、実行機能の種類を示す機能名として、コンピュータが認識可能な実行コマンド、ＨＴＴＰアドレス又はＳＱＬ文を機能設定部に設定することが好ましい。
【００３３】
本発明に係る第２の生産管理装置は、生産拠点に配置されている装置を管理する実行システムに装置を管理させるための生産管理装置を前提とし、装置を管理するために実行しようとする実行機能が設定される依頼システムと、実行システム及び依頼システムとコンピュータ・ネットワークを介して接続されているエージェントシステムとを備えており、依頼システムは、実行機能の種類を示す機能名及び実行機能の実行対象となる生産拠点を機能設定部に設定すると共に、実行機能の実行終了条件を終了条件設定部に設定する終了条件設定手段と、機能設定部に設定された機能名及び生産拠点並びに終了条件設定部に設定された実行終了条件を実行終了情報としてエージェントシステムに向けて送信する実行終了情報送信手段とを有し、エージェントシステムは、実行終了情報送信手段から送信された実行終了情報を受信する実行終了情報受信手段と、実行終了情報受信手段が受信した実行終了情報に含まれる実行終了条件が満たされているか否かを判断し、満たされていると判断する場合に、実行終了情報受信手段が受信した実行終了情報に含まれる機能名が示す実行機能を、実行終了情報受信手段が受信した実行終了情報に含まれる生産拠点において動作する実行システムに実行終了するよう指示すると共に、実行システムが指示された実行機能を実行することにより得た実行結果を実行システムから受信し、受信した実行結果を結果返却部に保存する機能終了手段と、結果返却部に保存されている実行結果を通報機器に出力する結果通知手段とを有する。
【００３４】
第２の生産管理装置によると、依頼システムにおいて実行機能の種類を示す機能名、実行機能の実行対象となる生産拠点及び実行機能の実行終了条件を設定すると、エージェントシステムは、設定された実行終了条件が満たされているときに、設定された生産拠点において動作する実行システムに、設定された機能名が示す実行機能を実行終了するよう指示するので、実行システムは実行機能を実行終了する。
【００３５】
従って、依頼システムにおいて、機能名、生産拠点及び実行終了条件を設定するだけで、設定された生産拠点において動作する実行システムは、設定された実行終了条件が満たされているときに、設定された機能名が示す実行機能を実行終了する。
【００３６】
また、第２の生産管理装置によると、結果通知手段が、実行システムが指示された実行機能を実行することにより得た実行結果を通報機器に出力するため、実行結果を共通のフォーマットで出力することができる。
【００３７】
第２の生産管理装置において、終了条件設定手段は、Ｗｅｂブラウザ、電子メールソフト又は電話を用いることにより、実行機能の種類を示す機能名及び実行機能の実行対象となる生産拠点を機能設定部に設定すると共に、実行機能の実行終了条件を終了条件設定部に設定することが好ましい。
【００３８】
第２の生産管理装置において、終了条件設定手段は、実行機能の種類を示す機能名として、コンピュータが認識可能な実行コマンド、ＨＴＴＰアドレス又はＳＱＬ文を機能設定部に設定することが好ましい。
【００３９】
本発明に係る第３の生産管理装置は、生産拠点に配置されている装置を管理する実行システムに装置を管理させるための生産管理装置を前提とし、装置を管理するために実行しようとする実行機能が設定される依頼システムと、実行システム及び依頼システムとコンピュータ・ネットワークを介して接続されているエージェントシステムとを備えており、依頼システムは、実行機能の種類を示す機能名及び実行機能の実行対象となる生産拠点を機能設定部に設定する機能設定手段と、実行機能の実行開始条件を開始条件設定部に設定する開始条件設定手段と、実行機能の実行終了条件を終了条件設定部に設定する終了条件設定手段と、機能設定部に設定された機能名及び生産拠点、開始条件設定部に設定された実行開始条件並びに終了条件設定部に設定された実行終了条件を実行情報としてエージェントシステムに向けて送信する実行情報送信手段とを有し、エージェントシステムは、実行情報送信手段から送信された実行情報を受信する実行情報受信手段と、実行情報受信手段が受信した実行情報に含まれる実行開始条件が満たされているか否かを判断し、満たされていると判断する場合に、実行情報受信手段が受信した実行情報に含まれる機能名が示す実行機能を、実行情報受信手段が受信した実行情報に含まれる生産拠点において動作する実行システムに実行開始するよう指示すると共に、実行システムが指示された実行機能を実行することにより得た実行結果を実行システムから受信し、受信した実行結果を結果返却部に保存する機能実行手段と、実行情報受信手段が受信した実行情報に含まれる実行終了条件が満たされているか否かを判断し、満たされていると判断する場合に、実行情報受信手段が受信した実行情報に含まれる機能名が示す実行機能を、実行情報受信手段が受信した実行情報に含まれる生産拠点において動作する実行システムに実行終了するよう指示すると共に、実行システムが指示された実行機能を実行することにより得た実行結果を実行システムから受信し、受信した実行結果を結果返却部に保存する機能終了手段と、結果返却部に保存されている実行結果を通報機器に出力する結果通知手段とを有する。
【００４０】
第３の生産管理装置によると、依頼システムにおいて実行機能の種類を示す機能名、実行機能の実行対象となる生産拠点及び実行機能の実行開始条件又は実行終了条件を設定すると、エージェントシステムは、設定された実行開始条件又は実行終了条件が満たされているときに、設定された生産拠点において動作する実行システムに、設定された機能名が示す実行機能を実行開始又は実行終了するよう指示するので、実行システムは実行機能を実行開始又は実行終了する。
【００４１】
従って、依頼システムにおいて、機能名、生産拠点及び実行開始条件又は実行終了条件を設定するだけで、設定された生産拠点において動作する実行システムは、設定された実行開始条件又は実行終了条件が満たされているときに、設定された機能名が示す実行機能を実行開始又は実行終了する。
【００４２】
また、第３の生産管理装置によると、結果通知手段が、実行システムが指示された実行機能を実行することにより得た実行結果を通報機器に出力するため、実行結果を共通のフォーマットで出力することができる。
【００４３】
第３の生産管理装置において、機能設定手段は、Ｗｅｂブラウザ、電子メールソフト又は電話を用いることにより、実行機能の種類を示す機能名及び実行機能の実行対象となる生産拠点を機能設定部に設定することが好ましい。
【００４４】
第３の生産管理装置において、開始条件設定手段は、Ｗｅｂブラウザ、電子メールソフト又は電話を用いることにより、実行機能の実行開始条件を開始条件設定部に設定することが好ましい。
【００４５】
第３の生産管理装置において、終了条件設定手段は、Ｗｅｂブラウザ、電子メールソフト又は電話を用いることにより、実行機能の実行終了条件を終了条件設定部に設定することが好ましい。
【００４６】
第３の生産管理装置において、機能設定手段は、実行機能の種類を示す機能名として、コンピュータが認識可能な実行コマンド、ＨＴＴＰアドレス又はＳＱＬ文を機能設定部に設定することが好ましい。
【００４７】
第１又は第３の生産管理装置において、開始条件設定手段は、実行機能の実行開始条件として、実行機能又は該実行機能以外の他の機能の一時的な実行停止又は実行再開を開始条件設定部に設定することが好ましい。
【００４８】
第２又は第３の生産管理装置において、終了条件設定手段は、実行機能の実行終了条件として、実行機能又は該実行機能以外の他の機能の一時的な実行停止又は実行再開を終了条件設定部に設定することが好ましい。
【００４９】
本発明に係る第４の生産管理装置は、生産拠点に配置されている装置を管理する実行システムに装置を管理させるための生産管理装置を前提とし、装置を管理するために実行しようとする実行機能が設定される依頼システムと、実行システム及び依頼システムとコンピュータ・ネットワークを介して接続されているエージェントシステムと、エージェントシステムとコンピュータ・ネットワークを介して接続されている回答システムとを備えており、依頼システムは、実行機能の種類を示す機能名及び実行機能の実行対象となる生産拠点を機能設定部に設定する機能設定手段と、実行機能の実行開始条件を開始条件設定部に設定する開始条件設定手段と、実行システムが実行機能を実行することにより得られる実行結果を通報機器に出力する方法である結果通知方法を通知方法設定部に設定する通知方法設定手段と、機能設定部に設定された機能名及び生産拠点、開始条件設定部に設定された実行開始条件並びに通知方法設定部に設定された結果通知方法を実行開始情報としてエージェントシステムに向けて送信する実行開始情報送信手段とを有し、エージェントシステムは、実行開始情報送信手段から送信された実行開始情報を受信する実行開始情報受信手段と、実行開始情報受信手段が受信した実行開始情報に含まれる実行開始条件が満たされているか否かを判断し、満たされていると判断する場合に、実行開始情報受信手段が受信した実行開始情報に含まれる機能名が示す実行機能を、実行開始情報受信手段が受信した実行開始情報に含まれる生産拠点において動作する実行システムに実行開始するよう指示すると共に、実行システムが指示された実行機能を実行することにより得た実行結果を実行システムから受信し、受信した実行結果を結果返却部に保存する機能実行手段と、結果返却部に保存されている実行結果及び実行開始情報受信手段が受信した実行開始情報に含まれる結果通知方法を実行結果情報として回答システムに向けて送信する結果送信手段とを有し、回答システムは、結果送信手段から送信された実行結果情報を受信する結果受信手段と、結果受信手段が受信した実行結果情報に含まれる結果通知方法に基づき、結果受信手段が受信した実行結果情報に含まれる実行結果を通報機器に出力する結果通知手段とを有する。
【００５０】
第４の生産管理装置によると、依頼システムにおいて実行機能の種類を示す機能名、実行機能の実行対象となる生産拠点及び実行機能の実行開始条件を設定すると、エージェントシステムは、設定された実行開始条件が満たされているときに、設定された生産拠点において動作する実行システムに、設定された機能名が示す実行機能を実行開始するよう指示するので、実行システムは実行機能を実行開始する。
【００５１】
従って、依頼システムにおいて、機能名、生産拠点及び実行開始条件を設定するだけで、設定された生産拠点において動作する実行システムは、設定された実行開始条件が満たされているときに、設定された機能名が示す実行機能を実行開始する。
【００５２】
また、第４の生産管理装置によると、結果通知手段が、実行システムが実行機能を実行することにより得られる実行結果を通報機器に、通知方法設定手段により設定された結果通知方法に基づいて出力することができるため、例えば通知方法設定手段が結果通知方法として通知先（所定の通報機器及びそのアドレス）を設定することにより、所定の通報機器に実行結果を確実に出力できると共に、実行結果を共通のフォーマットで出力することができる。
【００５３】
第４の生産管理装置において、実行開始情報送信手段は、複数のエージェントシステムを経由して最終の送信先であるエージェントシステムに向けて実行開始情報を送信することが好ましい。
【００５４】
第４の生産管理装置において、実行開始情報送信手段は、経由するエージェントシステムの負荷の総和が最小となるように複数のエージェントシステムを経由して最終の送信先であるエージェントシステムに向けて実行開始情報を送信することが好ましい。
【００５５】
第４の生産管理装置において、実行開始情報送信手段は、経由するエージェントシステムの数が最小となるように複数のエージェントシステムを経由して最終の送信先であるエージェントシステムに向けて実行開始情報を送信することが好ましい。
【００５６】
本発明に係る第５の生産管理装置は、生産拠点に配置されている装置を管理する実行システムに装置を管理させるための生産管理装置を前提とし、装置を管理するために実行しようとする実行機能が設定される依頼システムと、実行システム及び依頼システムとコンピュータ・ネットワークを介して接続されているエージェントシステムと、エージェントシステムとコンピュータ・ネットワークを介して接続されている回答システムとを備えており、依頼システムは、実行機能の種類を示す機能名及び実行機能の実行対象となる生産拠点を機能設定部に設定する機能設定手段と、実行機能の実行終了条件を終了条件設定部に設定する終了条件設定手段と、実行システムが実行機能を実行することにより得られる実行結果を通報機器に出力する方法である結果通知方法を通知方法設定部に設定する通知方法設定手段と、機能設定部に設定された機能名及び生産拠点、終了条件設定部に設定された実行終了条件並びに通知方法設定部に設定された結果通知方法を実行終了情報としてエージェントシステムに向けて送信する実行終了情報送信手段とを有し、エージェントシステムは、実行終了情報送信手段から送信された実行終了情報を受信する実行終了情報受信手段と、実行終了情報受信手段が受信した実行終了情報に含まれる実行終了条件が満たされているか否かを判断し、満たされていると判断する場合に、実行終了情報受信手段が受信した実行終了情報に含まれる機能名が示す実行機能を、実行終了情報受信手段が受信した実行終了情報に含まれる生産拠点において動作する実行システムに実行終了するよう指示すると共に、実行システムが指示された実行機能を実行することにより得た実行結果を実行システムから受信し、受信した実行結果を結果返却部に保存する機能終了手段と、結果返却部に保存されている実行結果及び実行終了情報受信手段が受信した実行終了情報に含まれる結果通知方法を実行結果情報として回答システムに向けて送信する結果送信手段とを有し、回答システムは、結果送信手段から送信された実行結果情報を受信する結果受信手段と、結果受信手段が受信した実行結果情報に含まれる結果通知方法に基づき、結果受信手段が受信した実行結果情報に含まれる実行結果を通報機器に出力する結果通知手段とを有する。
【００５７】
第５の生産管理装置によると、依頼システムにおいて実行機能の種類を示す機能名、実行機能の実行対象となる生産拠点及び実行機能の実行終了条件を設定すると、エージェントシステムは、設定された実行終了条件が満たされているときに、設定された生産拠点において動作する実行システムに、設定された機能名が示す実行機能を実行終了するよう指示するので、実行システムは実行機能を実行終了する。
【００５８】
従って、依頼システムにおいて、機能名、生産拠点及び実行終了条件を設定するだけで、設定された生産拠点において動作する実行システムは、設定された実行終了条件が満たされているときに、設定された機能名が示す実行機能を実行終了する。
【００５９】
また、第５の生産管理装置によると、結果通知手段が、実行システムが実行機能を実行することにより得られる実行結果を通報機器に、通知方法設定手段により設定された結果通知方法に基づいて出力することができるため、例えば通知方法設定手段が結果通知方法として通知先（所定の通報機器及びそのアドレス）を設定することにより、所定の通報機器に実行結果を確実に出力できると共に、実行結果を共通のフォーマットで出力することができる。
【００６０】
第５の生産管理装置において、実行終了情報送信手段は、複数のエージェントシステムを経由して最終の送信先であるエージェントシステムに向けて実行終了情報を送信することが好ましい。
【００６１】
第５の生産管理装置において、実行終了情報送信手段は、経由するエージェントシステムの負荷の総和が最小となるように複数のエージェントシステムを経由して最終の送信先であるエージェントシステムに向けて実行終了情報を送信することが好ましい。
【００６２】
第５の生産管理装置において、実行終了情報送信手段は、経由するエージェントシステムの数が最小となるように複数のエージェントシステムを経由して最終の送信先であるエージェントシステムに向けて実行終了情報を送信することが好ましい。
【００６３】
本発明に係る第６の生産管理装置は、生産拠点に配置されている装置を管理する実行システムに装置を管理させるための生産管理装置を前提とし、装置を管理するために実行しようとする実行機能が設定される依頼システムと、実行システム及び依頼システムとコンピュータ・ネットワークを介して接続されているエージェントシステムと、エージェントシステムとコンピュータ・ネットワークを介して接続されている回答システムとを備えており、依頼システムは、実行機能の種類を示す機能名及び実行機能の実行対象となる生産拠点を機能設定部に設定する機能設定手段と、実行機能の実行開始条件を開始条件設定部に設定する開始条件設定手段と、実行機能の実行終了条件を終了条件設定部に設定する終了条件設定手段と、実行システムが実行機能を実行することにより得られる実行結果を通報機器に出力する方法である結果通知方法を通知方法設定部に設定する通知方法設定手段と、機能設定部に設定された機能名及び生産拠点、開始条件設定部に設定された実行開始条件、終了条件設定部に設定された実行終了条件並びに通知方法設定部に設定された結果通知方法を実行情報としてエージェントシステムに向けて送信する実行情報送信手段とを有し、エージェントシステムは、実行情報送信手段から送信された実行情報を受信する実行情報受信手段と、実行情報受信手段が受信した実行情報に含まれる実行開始条件が満たされているか否かを判断し、満たされていると判断する場合に、実行情報受信手段が受信した実行情報に含まれる機能名が示す実行機能を、実行情報受信手段が受信した実行情報に含まれる生産拠点において動作する実行システムに実行開始するよう指示すると共に、実行システムが指示された実行機能を実行することにより得た実行結果を実行システムから受信し、受信した実行結果を結果返却部に保存する機能実行手段と、実行情報受信手段が受信した実行情報に含まれる実行終了条件が満たされているか否かを判断し、満たされていると判断する場合に、実行情報受信手段が受信した実行情報に含まれる機能名が示す実行機能を、実行情報受信手段が受信した実行情報に含まれる生産拠点において動作する実行システムに実行終了するよう指示すると共に、実行システムが指示された実行機能を実行することにより得た実行結果を実行システムから受信し、受信した実行結果を結果返却部に保存する機能終了手段と、結果返却部に保存されている実行結果及び実行情報受信手段が受信した実行情報に含まれる結果通知方法を実行結果情報として回答システムに向けて送信する結果送信手段とを有し、回答システムは、結果送信手段から送信された実行結果情報を受信する結果受信手段と、結果受信手段が受信した実行結果情報に含まれる結果通知方法に基づき、結果受信手段が受信した実行結果情報に含まれる実行結果を通報機器に出力する結果通知手段とを有する。
【００６４】
第６の生産管理装置によると、依頼システムにおいて実行機能の種類を示す機能名、実行機能の実行対象となる生産拠点及び実行機能の実行開始条件又は実行終了条件を設定すると、エージェントシステムは、設定された実行開始条件又は実行終了条件が満たされているときに、設定された生産拠点において動作する実行システムに、設定された機能名が示す実行機能を実行開始又は実行終了するよう指示するので、実行システムは実行機能を実行開始又は実行終了する。
【００６５】
従って、依頼システムにおいて、機能名、生産拠点及び実行開始条件又は実行終了条件を設定するだけで、設定された生産拠点において動作する実行システムは、設定された実行開始条件又は実行終了条件が満たされているときに、設定された機能名が示す実行機能を実行開始又は実行終了する。
【００６６】
また、第６の生産管理装置によると、結果通知手段が、実行システムが実行機能を実行することにより得られる実行結果を通報機器に、通知方法設定手段により設定された結果通知方法に基づいて出力することができるため、例えば通知方法設定手段が結果通知方法として通知先（所定の通報機器及びそのアドレス）を設定することにより、所定の通報機器に実行結果を確実に出力できると共に、実行結果を共通のフォーマットで出力することができる。
【００６７】
第６の生産管理装置において、実行情報送信手段は、複数のエージェントシステムを経由して最終の送信先であるエージェントシステムに向けて実行情報を送信することが好ましい。
【００６８】
第６の生産管理装置において、実行情報送信手段は、経由するエージェントシステムの負荷の総和が最小となるように複数のエージェントシステムを経由して最終の送信先であるエージェントシステムに向けて実行情報を送信することが好ましい。
【００６９】
第６の生産管理装置において、実行情報送信手段は、経由するエージェントシステムの数が最小となるように複数のエージェントシステムを経由して最終の送信先であるエージェントシステムに向けて実行情報を送信することが好ましい。
【００７０】
第４、第５又は第６の生産管理装置において、通知方法設定手段は、Ｗｅｂブラウザ、電子メールソフト又は電話を用いることにより、結果通知方法を通知方法設定部に設定することが好ましい。
【００７１】
第４、第５又は第６の生産管理装置において、通知方法設定手段は、結果通知方法として、実行システムが実行機能を実行することにより得られる実行結果を通報機器に出力する際の緊急度合いを示す通知レベルを通知方法設定部に設定し、結果通知手段は、通知レベルに基づき通報機器に実行結果を出力することが好ましい。
【００７２】
第４、第５又は第６の生産管理装置において、通知方法設定手段は、結果通知方法として、実行システムが実行機能を実行することにより得られる実行結果を通報機器に出力する際に、該通報機器における実行結果の受け取りを確認するか否かを示す通知モードを通知方法設定部に設定し、結果通知手段は、通知モードが通報機器における実行結果の受け取りを確認するように設定されている場合に、通報機器における実行結果の受け取りを確認できるまで、通報機器に実行結果を繰り返し出力することが好ましい。
【００７３】
第４、第５又は第６の生産管理装置において、結果送信手段は、複数のエージェントシステムを経由して回答システムに向けて実行結果情報を送信することが好ましい。
【００７４】
第４、第５又は第６の生産管理装置において、結果送信手段は、経由するエージェントシステムの負荷の総和が最小となるように複数のエージェントシステムを経由して回答システムに向けて実行結果情報を送信することが好ましい。
【００７５】
第４、第５又は第６の生産管理装置において、結果送信手段は、経由するエージェントシステムの数が最小となるように複数のエージェントシステムを経由して回答システムに向けて実行結果情報を送信することが好ましい。
【００７６】
本発明に係る第１の生産管理方法は、生産拠点に配置されている装置を管理する実行システムに装置を管理させるための生産管理方法を前提とし、装置を管理するために実行しようとする実行機能が設定される依頼システムにおいて、実行機能の種類を示す機能名及び実行機能の実行対象となる生産拠点を機能設定部に設定する機能設定工程と、依頼システムにおいて、実行機能の実行開始条件又は実行終了条件を開始条件設定部又は終了条件設定部に設定する実行条件設定工程と、依頼システムが、機能設定部に設定された機能名及び生産拠点、並びに開始条件設定部又は終了条件設定部に設定された実行開始条件又は実行終了条件を実行情報として、実行システム及び依頼システムとコンピュータ・ネットワークを介して接続されているエージェントシステムに向けて送信する実行情報送信工程と、エージェントシステムが、実行情報送信工程において送信された実行情報を受信する実行情報受信工程と、エージェントシステムが、実行情報受信工程において受信された実行情報に含まれる実行開始条件又は実行終了条件が満たされているか否かを判断し、満たされていると判断する場合に、実行情報受信工程において受信された実行情報に含まれる機能名が示す実行機能を、実行情報受信工程において受信された実行情報に含まれる生産拠点において動作する実行システムに実行開始又は実行終了するように指示すると共に、実行システムが指示された実行機能を実行することにより得た実行結果を実行システムから受信し、受信した実行結果を結果返却部に保存する機能制御工程と、エージェントシステムが、結果返却部に保存されている実行結果を通報機器に出力する結果通知工程とを備えている。
【００７７】
第１の生産管理方法によると、依頼システムにおいて実行機能の種類を示す機能名、実行機能の実行対象となる生産拠点及び実行機能の実行開始条件又は実行終了条件を設定すると、エージェントシステムは、設定された実行開始条件又は実行終了条件が満たされているときに、設定された生産拠点において動作する実行システムに、設定された機能名が示す実行機能を実行開始又は実行終了するよう指示するので、実行システムは実行機能を実行開始又は実行終了する。
【００７８】
従って、依頼システムにおいて、機能名、生産拠点及び実行開始条件又は実行終了条件を設定するだけで、設定された生産拠点において動作する実行システムは、設定された実行開始条件又は実行終了条件が満たされているときに、設定された機能名が示す実行機能を実行開始又は実行終了する。
【００７９】
また、第１の生産管理方法によると、結果通知工程において、実行システムが指示された実行機能を実行することにより得た実行結果を通報機器に出力するため、実行結果を共通のフォーマットで出力することができる。
【００８０】
第１の生産管理方法において、機能設定工程は、実行機能の種類を示す機能名として、コンピュータが認識可能な実行コマンド、ＨＴＴＰアドレス又はＳＱＬ文を機能設定部に設定する工程を含むことが好ましい。
【００８１】
第１の生産管理方法において、実行条件設定工程は、実行開始条件又は実行終了条件として、実行機能又は該実行機能以外の他の機能の一時的な実行停止又は実行再開を開始条件設定部又は終了条件設定部に設定する工程を含むことが好ましい。
【００８２】
本発明に係る第２の生産管理方法は、生産拠点に配置されている装置を管理する実行システムに装置を管理させるための生産管理方法を前提とし、装置を管理するために実行しようとする実行機能が設定される依頼システムにおいて、実行機能の種類を示す機能名及び実行機能の実行対象となる生産拠点を機能設定部に設定する機能設定工程と、依頼システムにおいて、実行機能の実行開始条件又は実行終了条件を開始条件設定部又は終了条件設定部に設定する実行条件設定工程と、依頼システムにおいて、実行システムが実行機能を実行することにより得られる実行結果を通報機器に出力する方法である結果通知方法を通知方法設定部に設定する通知方法設定工程と、依頼システムが、機能設定部に設定された機能名及び生産拠点、開始条件設定部又は終了条件設定部に設定された実行開始条件又は実行終了条件、並びに通知方法設定部に設定された結果通知方法を実行情報として、実行システム及び依頼システムとコンピュータ・ネットワークを介して接続されているエージェントシステムに向けて送信する実行情報送信工程と、エージェントシステムが、実行情報送信工程において送信された実行情報を受信する実行情報受信工程と、エージェントシステムが、実行情報受信工程において受信された実行情報に含まれる実行開始条件又は実行終了条件が満たされているか否かを判断し、満たされていると判断する場合に、実行情報受信工程において受信された実行情報に含まれる機能名が示す実行機能を、実行情報受信工程において受信された実行情報に含まれる生産拠点において動作する実行システムに実行開始又は実行終了するように指示すると共に、実行システムが指示された実行機能を実行することにより得た実行結果を実行システムから受信し、受信した実行結果を結果返却部に保存する機能制御工程と、エージェントシステムが、結果返却部に保存されている実行結果及び実行情報受信工程において受信された実行情報に含まれる結果通知方法を実行結果情報として、エージェントシステムとコンピュータ・ネットワークを介して接続されている回答システムに向けて送信する結果送信工程と、回答システムが、結果送信工程において送信された実行結果情報を受信する結果受信工程と、回答システムが、結果受信工程において受信された実行結果情報に含まれる結果通知方法に基づき、結果受信工程において受信された実行結果情報に含まれる実行結果を通報機器に出力する結果通知工程とを備えている。
【００８３】
第２の生産管理方法によると、依頼システムにおいて実行機能の種類を示す機能名、実行機能の実行対象となる生産拠点及び実行機能の実行開始条件又は実行終了条件を設定すると、エージェントシステムは、設定された実行開始条件又は実行終了条件が満たされているときに、設定された生産拠点において動作する実行システムに、設定された機能名が示す実行機能を実行開始又は実行終了するよう指示するので、実行システムは実行機能を実行開始又は実行終了する。
【００８４】
従って、依頼システムにおいて、機能名、生産拠点及び実行開始条件又は実行終了条件を設定するだけで、設定された生産拠点において動作する実行システムは、設定された実行開始条件又は実行終了条件が満たされているときに、設定された機能名が示す実行機能を実行開始又は実行終了する。
【００８５】
また、第２の生産管理方法によると、結果通知工程において、実行システムが指示された実行機能を実行することにより得た実行結果を通報機器に、通知方法設定工程で設定された結果通知方法に基づいて出力することができるため、例えば通知方法設定工程において結果通知方法として通知先（所定の通報機器及びそのアドレス）を設定することにより、所定の通報機器に実行結果を確実に出力できると共に、実行結果を共通のフォーマットで出力することができる。
【００８６】
第２の生産管理方法において、通知方法設定工程は、結果通知方法として、実行システムが実行機能を実行することにより得られる実行結果を通報機器に出力する際の緊急度合いを示す通知レベルを通知方法設定部に設定する工程を含み、結果通知工程は、通知レベルに基づき通報機器に実行結果を出力する工程を含むことが好ましい。
【００８７】
第２の生産管理方法において、通知方法設定工程は、結果通知方法として、実行システムが実行機能を実行することにより得られる実行結果を通報機器に出力する際に、該通報機器における実行結果の受け取りを確認するか否かを示す通知モードを通知方法設定部に設定する工程を含み、結果通知工程は、通知モードが通報機器における実行結果の受け取りを確認するように設定されている場合に、通報機器における実行結果の受け取りを確認できるまで、通報機器に実行結果を繰り返し出力する工程を含むことが好ましい。
【００８８】
第２の生産管理方法において、実行情報送信工程は、複数のエージェントシステムを経由して最終の送信先であるエージェントシステムに向けて実行情報を送信する工程を含むことが好ましい。
【００８９】
第２の生産管理方法において、実行情報送信工程は、経由するエージェントシステムの負荷の総和が最小となるように複数のエージェントシステムを経由して最終の送信先であるエージェントシステムに向けて実行情報を送信する工程を含むことが好ましい。
【００９０】
第２の生産管理方法において、実行情報送信工程は、経由するエージェントシステムの数が最小となるように複数のエージェントシステムを経由して最終の送信先であるエージェントシステムに向けて実行情報を送信する工程を含むことが好ましい。
【００９１】
第２の生産管理方法において、結果送信工程は、複数のエージェントシステムを経由して回答システムに向けて実行結果情報を送信する工程を含むことが好ましい。
【００９２】
第２の生産管理方法において、結果送信工程は、経由するエージェントシステムの負荷の総和が最小となるように複数のエージェントシステムを経由して回答システムに向けて実行結果情報を送信する工程を含むことが好ましい。
【００９３】
第２の生産管理方法において、結果送信工程は、経由するエージェントシステムの数が最小となるように複数のエージェントシステムを経由して回答システムに向けて実行結果情報を送信する工程を含むことが好ましい。
【００９４】
【発明の実施形態】
（第１の実施形態）
以下、本発明の第１の実施形態に係る生産管理装置について、図面を参照しながら説明する。
【００９５】
図１は、第１の実施形態に係る生産管理装置の構成を示すブロック図である。
【００９６】
図１に示すように、第１の実施形態に係る生産管理装置は、生産拠点に配置されている装置を管理するために実行しようとする実行機能が設定される依頼システム１００と、生産拠点に配置されている装置を管理する実行システム１１０に実行機能の実行を指示するエージェントシステム１２０とから構成されており、依頼システム１００又は実行システム１１０とエージェントシステム１２０とはコンピュータ・ネットワークを介して接続されている。
【００９７】
依頼システム１００は、実行機能の種類を示す機能名、実行機能の実行対象となる生産拠点及び実行機能の実行開始条件をファイル等に設定する開始条件設定手段１０１と、ファイル等に設定されている機能名、生産拠点及び実行開始条件を実行開始情報１０２としてエージェントシステム１２０に向けて送信する実行開始情報送信手段１０３とを備えている。
【００９８】
また、エージェントシステム１２０は、実行開始情報送信手段１０３から送信された実行開始情報１０２を受信する実行開始情報受信手段１２１と、実行開始情報１０２に含まれる実行開始条件が満たされているか否かを判断し、満たされていると判断する場合に、実行開始情報１０２に含まれる機能名が示す実行機能を、実行開始情報１０２に含まれる生産拠点において動作する実行システム１１０に実行開始するよう指示すると共に、実行システム１１０が指示された実行機能を実行することにより得た実行結果を実行システム１１０から受信し、受信した実行結果をファイル等に保存する機能実行手段１２２と、ファイル等に保存されている実行結果を通報機器１３０に出力する結果通知手段１２３とを備えている。
【００９９】
以下、依頼システム１００及びエージェントシステム１２０における前記の各手段について、複数のＬＳＩ生産拠点において緊急度を有する高優先ロットが完了した時点で、ＬＳＩの歩留まり情報を集計する場合を例にとって説明する。
【０１００】
〔開始条件設定手段１０１〕
開始条件設定手段１０１は、コンピュータが管理する記憶装置上において、例えば図２（ａ）に示す機能設定形式に従って図２（ｂ）に示す機能設定ファイルに実行機能の種類（本実施形態ではＬＳＩの歩留まり情報の集計）を示す機能名を設定すると共に、例えば図３（ａ）に示す開始条件設定形式に従って図３（ｂ）に示す開始条件設定ファイルに実行機能の実行開始条件（本実施形態ではＬＳＩの歩留まり情報の集計を開始する条件）を設定する。
【０１０１】
図２（ａ）に示す機能設定形式においては、実行機能の種類を示す機能名として、以下に示す３種類のコマンドをそれぞれ複数設定することができると共に、異なる種類のコマンドを組み合わせることができる。
【０１０２】
（１）コンピュータが認識可能な実行コマンド（ＯＳ（オペレーティング・システム）が実行可能なものであれば実行コマンドの種類は特に限定されない。）
（２）データベースを操作するためのコマンド（ＳＱＬコマンド等であって、データベースを操作するためのコマンドの種類は特に限定されない。）
（３）ＨＴＴＰアドレス（ＷＷＷ（World Wide Web）が認識可能なフォーマットであればアドレスの指定方法は特に限定されない。）
また、機能設定形式において、実行機能の実行対象となる生産拠点である実行拠点を設定することができると共に、複数の実行拠点を設定することができる。尚、各生産拠点は、通常複数の実行システムを備えている。
【０１０３】
図２（ｂ）に示す機能設定ファイルに設定された内容は、Ａ工場、Ｅ工場及びＦ工場において歩留まり集計１コマンドの実行を開始することを示している。
【０１０４】
図３（ａ）に示す開始条件設定形式においては、以下に示す６つの条件を設定することができる。
【０１０５】
（１）特定の機能の実行状況（ＳＴＡＲＴ：開始、ＥＮＤ：終了、ＳＴＯＰ：一時停止、Ｒｅ−ＳＴＡＲＴ：再開、ＲＵＮＮＩＮＧ：実行中）
（２）ロットの状態（ＷＡＩＴ：処理待ち中、ＰＲＯＣＥＳＳ：処理中、ＳＴＯＰ：休止中、ＥＮＤ：完了）
（３）装置の状態（ＰＲＯＣＥＳＳ：ロット処理中、ＩＤＬＥ：アイドリング中、ＤＯＷＮ：ダウン中、ＭＡＩＮＴＥＮＡＮＣＥ：メンテナンス中、ＧＯ−ＯＮ：立ち上げ中、ＧＯ−ＤＯＷＮ：立ち下げ中）
（４）実行機能の実行開始時刻（時刻を直接に指定する………ＹＹ：年、ＭＭ：月、ＤＤ：日、ＨＨ：時，ＭＭ：分、ＳＳ：秒）
（５）実行機能の実行開始時刻（時刻を間接的に指定する………ＭＭ後：分後、ＭＭ前：分前）
（６）開始条件設定ファイルの番号
尚、開始条件設定形式において、前記の条件を組み合わせて用いるため、７番目の条件として組み合わせる条件（（１）〜（６））を設定してもよい。
【０１０６】
図３（ｂ）に示す開始条件設定ファイルに設定された内容は、高優先ロットが完了した直後に、実行機能を実行開始することを示している。
【０１０７】
機能設定ファイル又は開始条件設定ファイルへの情報の設定には、主として以下の３種類のユーザ・インターフェースを用いる。
【０１０８】
（１）コンピュータ上で動作するＷｅｂブラウザを特定アドレスに接続した後、情報を入力する（Ｗｅｂブラウザに情報を入力後、特定アドレスに接続してもよい）。
【０１０９】
（２）電子メールツールを用いて電子メール本文に情報を設定した後、特定アドレスに電子メールを送信する。
【０１１０】
（３）電話等を用いた音声合成ツールにより、入力された音声を文字に変換して情報を設定する。
【０１１１】
尚、機能設定ファイル又は開始条件設定ファイルへの情報の設定に、前記のユーザ・インターフェースに代えて、既存のエディター又はファイル情報設定アプリケーション・ソフト等を用いてもよい。
【０１１２】
また、機能設定ファイルに代えて、機能設定形式に従ったテーブル又はリスト構造等を用いてもよい。
【０１１３】
また、開始条件設定ファイルに代えて、開始条件設定形式に従ったテーブル又はリスト構造等を用いてもよい。
【０１１４】
〔実行開始情報送信手段１０３〕
実行開始情報送信手段１０３は、機能設定ファイルに設定されているコマンド及び実行拠点と開始条件設定ファイルに設定されている実行開始条件とを実行開始情報１０２としてエージェントシステム１２０に送信する。
【０１１５】
実行開始情報送信手段１０３において、エージェントシステム１２０に実行開始情報１０２つまり機能設定ファイル又は開始条件設定ファイルを送信する方法としては、ＲＣＰ若しくはＦＴＰ等のプロトコルを用いたファイルコピー又は電子メールへのファイルの添付方式等を用いることができる。
【０１１６】
また、実行開始情報送信手段１０３において、前記のファイルを送信する方法に代えて、送信先で１つのファイルとして再構築できるように１つのファイルを複数のデータに分割して送信するソケット通信等を用いて実行開始情報１０２を送信してもよい。
【０１１７】
〔実行開始情報受信手段１２１〕
実行開始情報受信手段１２１は、実行開始情報送信手段１０３から送信された実行開始情報１０２を受信して、コンピューターが管理する記憶装置上に機能設定ファイル又は開始条件設定ファイルを蓄積する。
【０１１８】
〔機能実行手段１２２〕
まず、機能実行手段１２２は、機能設定ファイルからコマンド及び実行拠点を抽出すると共に、開始条件設定ファイルから実行開始条件を抽出した後、抽出されたコマンド及び実行拠点をキーとして、図４に示すコマンド変換テーブルからローカルコマンド、システム名及び問合せ方法を抽出されたコマンド及び実行拠点の数だけ繰り返し抽出する。
【０１１９】
尚、ローカルコマンドとは個別の実行システムにおいてのみ用いられる実行機能を指定するための独自のコマンドを意味し、システム名とはコマンドの実行対象の実行システムの名前を意味し、問合せ方法とは実行システムに情報を問い合わせる方法を意味する。
【０１２０】
また、図４に示すコマンド変換テーブルは、コンピュータが管理する記憶装置上における、実行拠点、コマンド、ローカルコマンド、システム名及び問合せ方法をアイテムとして持つテーブルであり、コマンド変換テーブルへの情報の登録は、ＳＱＬ等のデータベース操作言語を用いて予め行なっておく。
【０１２１】
次に、機能実行手段１２２は、抽出されたシステム名を有する実行システム１１０が抽出された実行開始条件を満たしているか否かを抽出された問合せ方法を用いることにより定期的に検査し、実行システム１１０が実行開始条件を満たしている場合は、実行システム１１０に抽出されたローカルコマンドの実行開始を指示すると共に、実行システム１１０が指示されたローカルコマンドを実行することにより得た実行結果を実行システム１１０から受信し、受信した実行結果をコンピュータが管理する記憶装置上において図５に示す結果返却ファイルに保存する。尚、ローカルコマンドの実行開始の指示及び実行結果の結果返却ファイルへの保存は、抽出されたローカルコマンドの数だけ繰り返し行なう。
【０１２２】
図５に示す結果返却ファイルに保存された内容は、Ａ工場の実行システムＰＲＩＮＣＥにおいてローカルコマンドＹＩＥＬＤ１（ＬＳＩの歩留まり情報の集計）の実行結果が７６％であることを示している。
【０１２３】
また、コマンド変換テーブルに代えて、これと同一内容を有するファイル又はリスト構造等を用いてもよいと共に、結果返却ファイルに代えて、これと同一内容を有するテーブル又はリスト構造等を用いてもよい。
【０１２４】
また、機能実行手段１２２が、実行システム１１０が実行開始条件を満たしているか否かを定期的に検査したが、これに代えて、実行システム１１０が、該実行システム１１０が実行開始条件を満たしている場合に機能実行手段１２２にその旨の情報を送信してもよい。
【０１２５】
〔結果通知手段１２３〕
結果通知手段１２３は、結果返却ファイルに保存されている実行結果を通報機器１３０に出力する。
【０１２６】
通報機器１３０としては、電子メール、大型表示板、ＦＡＸ、パーソナルコンピュータ、電話等を用いることができる。
【０１２７】
また、結果通知手段１２３において、通報機器１３０に実行結果を送信する方法としては、通報機器１３０に備わった送信ツール等を用いることができる。
【０１２８】
第１の実施形態によると、依頼システム１００において実行機能の種類を示す機能名、実行機能の実行対象となる生産拠点及び実行機能の実行開始条件を設定すると、エージェントシステム１２０は、設定された実行開始条件が満たされているときに、設定された生産拠点において動作する実行システム１１０に、設定された機能名が示す実行機能を実行開始するよう指示するので、実行システム１１０は実行機能を実行開始する。
【０１２９】
従って、依頼システム１００において、機能名、生産拠点及び実行開始条件を設定するだけで、設定された生産拠点において動作する実行システム１１０が、設定された実行開始条件が満たされているときに、設定された機能名が示す実行機能を実行開始するので、実行システム１１０の操作方法又は機能に習熟していなくても実行機能を実行開始することができる。このため、依頼システム１００において、例えば複数の生産拠点と共に実行機能として情報検索等を設定すると、共通の依頼形式を用いて複数の生産拠点において情報検索等の開始を同時に行なうことができるので、操作時間を短くすることができる。また、依頼システム１００において、例えば実行機能として情報検索等を設定すると共に、実行開始条件としてロットの進行状況等を設定すると、ロットの進行状況等に応じて情報検索等の開始をタイムリーに行なうことができる。
【０１３０】
また、第１の実施形態によると、結果通知手段１２３が、実行システム１１０が指示された実行機能を実行することにより得た実行結果を通報機器１３０に出力するため、実行結果を共通のフォーマットで出力することができるので、実行結果の内容が理解しやすくなる。
【０１３１】
また、第１の実施形態によると、開始条件設定手段１０１が、Ｗｅｂブラウザ、電子メールソフト又は電話等を用いるため、実行システム１１０の操作方法に習熟していなくても、機能名、生産拠点又は実行開始条件の設定を容易に行なうことができる。
【０１３２】
また、第１の実施形態によると、開始条件設定手段１０１が、実行機能の種類を示す機能名として、コンピュータが認識可能な実行コマンド、ＨＴＴＰアドレス又はＳＱＬ文等を設定するため、実行システム１１０の機能に習熟していなくても、機能名の設定を容易に行なうことができる。
【０１３３】
また、第１の実施形態によると、開始条件設定手段１０１が、実行機能の実行開始条件として、特定の機能の一時的な実行停止又は実行再開を開始条件設定ファイル等に設定するため、実行機能の実行開始をより一層タイムリーに行なうことができる。
【０１３４】
（第２の実施形態）
以下、本発明の第２の実施形態に係る生産管理装置について、図面を参照しながら説明する。
【０１３５】
図６は、第２の実施形態に係る生産管理装置の構成を示すブロック図である。
【０１３６】
図６に示すように、第２の実施形態に係る生産管理装置は、生産拠点に配置されている装置を管理するために実行しようとする実行機能が設定される依頼システム２００と、生産拠点に配置されている装置を管理する実行システム２１０に実行機能の実行を指示するエージェントシステム２２０とから構成されており、依頼システム２００又は実行システム２１０とエージェントシステム２２０とはコンピュータ・ネットワークを介して接続されている。
【０１３７】
依頼システム２００は、実行機能の種類を示す機能名、実行機能の実行対象となる生産拠点及び実行機能の実行終了条件をファイル等に設定する終了条件設定手段２０１と、ファイル等に設定されている機能名、生産拠点及び実行終了条件を実行終了情報２０２としてエージェントシステム２２０に向けて送信する実行終了情報送信手段２０３とを備えている。
【０１３８】
また、エージェントシステム２２０は、実行終了情報送信手段２０３から送信された実行終了情報２０２を受信する実行終了情報受信手段２２１と、実行終了情報２０２に含まれる実行終了条件が満たされているか否かを判断し、満たされていると判断する場合に、実行終了情報２０２に含まれる機能名が示す実行機能を、実行終了情報２０２に含まれる生産拠点において動作する実行システム２１０に実行終了するよう指示すると共に、実行システム２１０が指示された実行機能を実行することにより得た実行結果を実行システム２１０から受信し、受信した実行結果をファイル等に保存する機能終了手段２２２と、ファイル等に保存されている実行結果を通報機器２３０に出力する結果通知手段２２３とを備えている。
【０１３９】
以下、依頼システム２００及びエージェントシステム２２０における前記の各手段について、複数のＬＳＩ生産拠点において緊急度を有する高優先ロットが完了した時点で、高優先ロット専用処理及びロット投入数制限を終了する場合を例にとって説明する。
【０１４０】
〔終了条件設定手段２０１〕
終了条件設定手段２０１は、コンピュータが管理する記憶装置上において、例えば第１の実施形態と同じく図２（ａ）に示す機能設定形式に従って図２（ｃ）に示す機能設定ファイルに実行機能の種類（本実施形態では高優先ロット専用処理及びロット投入数制限）を示す機能名を設定すると共に、例えば図７（ａ）に示す終了条件設定形式に従って図７（ｂ）に示す終了条件設定ファイルに実行機能の実行終了条件（本実施形態では高優先ロット専用処理及びロット投入数制限を終了する条件）を設定する。
【０１４１】
図２（ｃ）に示す機能設定ファイルに設定された内容は、Ｃ研究所において優先専用処理１コマンド及び投入数制限１コマンドの実行を終了することを示している。
【０１４２】
図７（ａ）に示す終了条件設定形式においては、以下に示す７つの条件を設定することができる。
【０１４３】
（１）特定の機能の実行状況（ＳＴＡＲＴ：開始、ＥＮＤ：終了、ＳＴＯＰ：一時停止、Ｒｅ−ＳＴＡＲＴ：再開、ＲＵＮＮＩＮＧ：実行中）
（２）ロットの状態（ＷＡＩＴ：処理待ち中、ＰＲＯＣＥＳＳ：処理中、ＳＴＯＰ：休止中、ＥＮＤ：完了）
（３）装置の状態（ＰＲＯＣＥＳＳ：ロット処理中、ＩＤＬＥ：アイドリング中、ＤＯＷＮ：ダウン中、ＭＡＩＮＴＥＮＡＮＣＥ：メンテナンス中、ＧＯ−ＯＮ：立ち上げ中、ＧＯ−ＤＯＷＮ：立ち下げ中）
（４）実行機能の実行終了時刻（時刻を直接に指定する………ＹＹ：年、ＭＭ：月、ＤＤ：日、ＨＨ：時，ＭＭ：分、ＳＳ：秒）
（５）実行機能の実行終了時刻（時刻を間接的に指定する………ＭＭ後：分後、ＭＭ前：分前）
（６）終了する実行システム名
（７）終了条件設定ファイルの番号
尚、終了条件設定形式において、前記の条件を組み合わせて用いるため、８番目の条件として組み合わせる条件（（１）〜（７））を設定してもよい。
【０１４４】
図７（ｂ）に示す終了条件設定ファイルに設定された内容は、高優先ロットが完了した直後に、実行機能を実行終了することを示している。
【０１４５】
機能設定ファイル又は終了条件設定ファイルへの情報の設定方法は、第１の実施形態における機能設定ファイル等への情報の設定方法と同様である。
【０１４６】
また、終了条件設定ファイルに代えて、終了条件設定形式に従ったテーブル又はリスト構造等を用いてもよい。
【０１４７】
〔実行終了情報送信手段２０３〕
実行終了情報送信手段２０３は、機能設定ファイルに設定されているコマンド及び実行拠点と終了条件設定ファイルに設定されている実行終了条件とを実行終了情報２０２としてエージェントシステム２２０に送信する。
【０１４８】
実行終了情報送信手段２０３において、エージェントシステム２２０に実行終了情報２０２つまり機能設定ファイル又は終了条件設定ファイルを送信する方法としては、ＲＣＰ若しくはＦＴＰ等のプロトコルを用いたファイルコピー又は電子メールへのファイルの添付方式等を用いることができる。
【０１４９】
また、実行終了情報送信手段２０３において、前記のファイルを送信する方法に代えて、送信先で１つのファイルとして再構築できるように１つのファイルを複数のデータに分割して送信するソケット通信等を用いて実行終了情報２０２を送信してもよい。
【０１５０】
〔実行終了情報受信手段２２１〕
実行終了情報受信手段２２１は、実行終了情報送信手段２０３から送信された実行終了情報２０２を受信して、コンピューターが管理する記憶装置上に機能設定ファイル又は終了条件設定ファイルを蓄積する。
【０１５１】
〔機能終了手段２２２〕
まず、機能終了手段２２２は、機能設定ファイルからコマンド及び実行拠点を抽出すると共に、終了条件設定ファイルから実行終了条件を抽出した後、抽出されたコマンド及び実行拠点をキーとして、第１の実施形態と同じく図４に示すコマンド変換テーブルからローカルコマンド、システム名及び問合せ方法を抽出されたコマンド及び実行拠点の数だけ繰り返し抽出する。
【０１５２】
次に、機能終了手段２２２は、抽出されたシステム名を有する実行システム２１０が抽出された実行終了条件を満たしているか否かを抽出された問合せ方法を用いることにより定期的に検査し、実行システム２１０が実行終了条件を満たしている場合は、実行システム２１０に抽出されたローカルコマンドの実行終了を指示すると共に、実行システム２１０が指示されたローカルコマンドを実行することにより得た実行結果を実行システム２１０から受信し、受信した実行結果をコンピュータが管理する記憶装置上において図８に示す結果返却ファイルに保存する。尚、ローカルコマンドの実行終了の指示及び実行結果の結果返却ファイルへの保存は、抽出されたローカルコマンドの数だけ繰り返し行なう。
【０１５３】
図８に示す結果返却ファイルに保存された内容は、Ｃ研究所の実行システムＳＯＬＯＭにおいてローカルコマンドＰＴＣ１（高優先ロット専用処理）の実行結果が正常終了であることを示している。
【０１５４】
また、機能終了手段２２２が、実行システム２１０が実行終了条件を満たしているか否かを定期的に検査したが、これに代えて、実行システム２１０が、該実行システム２１０が実行終了条件を満たしている場合に機能終了手段２２２にその旨の情報を送信してもよい。
【０１５５】
〔結果通知手段２２３〕
結果通知手段２２３は、第１の実施形態における結果通知手段１２３と同じく、結果返却ファイルに保存されている実行結果を通報機器２３０に出力する。
【０１５６】
第２の実施形態によると、依頼システム２００において実行機能の種類を示す機能名、実行機能の実行対象となる生産拠点及び実行機能の実行終了条件を設定すると、エージェントシステム２２０は、設定された実行終了条件が満たされているときに、設定された生産拠点において動作する実行システム２１０に、設定された機能名が示す実行機能を実行終了するよう指示するので、実行システム２１０は実行機能を実行終了する。
【０１５７】
従って、依頼システム２００において、機能名、生産拠点及び実行終了条件を設定するだけで、設定された生産拠点において動作する実行システム２１０が、設定された実行終了条件が満たされているときに、設定された機能名が示す実行機能を実行終了するので、実行システム２１０の操作方法又は機能に習熟していなくても実行機能を実行終了することができる。このため、依頼システム２００において、例えば複数の生産拠点と共に実行機能として製品処理等を設定すると、共通の依頼形式を用いて複数の生産拠点において製品処理等の終了を同時に行なうことができるので、操作時間を短くすることができる。また、依頼システム２００において、例えば実行機能として製品処理等を設定すると共に、実行終了条件としてロットの進行状況等を設定すると、ロットの進行状況等に応じて製品処理等の終了をタイムリーに行なうことができる。
【０１５８】
また、第２の実施形態によると、終了条件設定手段２０１が、Ｗｅｂブラウザ、電子メールソフト又は電話等を用いるため、実行システム２１０の操作方法に習熟していなくても、機能名、生産拠点又は実行終了条件の設定を容易に行なうことができる。
【０１５９】
また、第２の実施形態によると、終了条件設定手段２０１が、実行機能の種類を示す機能名として、コンピュータが認識可能な実行コマンド、ＨＴＴＰアドレス又はＳＱＬ文等を設定するため、実行システム２１０の機能に習熟していなくても、機能名の設定を容易に行なうことができる。
【０１６０】
また、第２の実施形態によると、終了条件設定手段２０１が、実行機能の実行終了条件として、特定の機能の一時的な実行停止又は実行再開を終了条件設定ファイル等に設定するため、実行機能の実行終了をより一層タイムリーに行なうことができる。
【０１６１】
（第３の実施形態）
以下、本発明の第３の実施形態に係る生産管理装置、生産管理方法、及び生産管理プログラムが記録されたコンピュータ読み取り可能な記録媒体について、図面を参照しながら説明する。
【０１６２】
図９は、第３の実施形態に係る生産管理装置の構成を示すブロック図である。
【０１６３】
図９に示すように、第３の実施形態に係る生産管理装置は、生産拠点に配置されている装置を管理するために実行しようとする実行機能が設定される依頼システム３００と、生産拠点に配置されている装置を管理する実行システム３１０に実行機能の実行を指示するエージェントシステム３２０とから構成されており、依頼システム３００又は実行システム３１０とエージェントシステム３２０とはコンピュータ・ネットワークを介して接続されている。
【０１６４】
依頼システム３００は、実行機能の種類を示す機能名及び実行機能の実行対象となる生産拠点をファイル等に設定する機能設定手段３０１と、実行機能の実行開始条件をファイル等に設定する開始条件設定手段３０２と、実行機能の実行終了条件をファイル等に設定する終了条件設定手段３０３と、ファイル等に設定されている機能名、生産拠点及び実行開始条件又は実行終了条件を実行情報３０４としてエージェントシステム３２０に向けて送信する実行情報送信手段３０５とを備えている。
【０１６５】
また、エージェントシステム３２０は、実行情報送信手段３０５から送信された実行情報３０４を受信する実行情報受信手段３２１と、実行情報３０４に含まれる実行開始条件が満たされているか否かを判断し、満たされていると判断する場合に、実行情報３０４に含まれる機能名が示す実行機能を、実行情報３０４に含まれる生産拠点において動作する実行システム３１０に実行開始するよう指示すると共に、実行システム３１０が指示された実行機能を実行することにより得た実行結果を実行システム３１０から受信し、受信した実行結果をファイル等に保存する機能実行手段３２２と、実行情報３０４に含まれる実行終了条件が満たされているか否かを判断し、満たされていると判断する場合に、実行情報３０４に含まれる機能名が示す実行機能を、実行情報３０４に含まれる生産拠点において動作する実行システム３１０に実行終了するよう指示すると共に、実行システム３１０が指示された実行機能を実行することにより得た実行結果を実行システム３１０から受信し、受信した実行結果をファイル等に保存する機能終了手段３２３と、ファイル等に保存されている実行結果を通報機器３３０に出力する結果通知手段３２４とを備えている。
【０１６６】
以下、第３の実施形態に係る生産管理装置を用いて行なう生産管理方法について、複数のＬＳＩ生産拠点において緊急度を有する高優先ロットが完了した時点で、ＬＳＩの歩留まり情報を集計すると共に、高優先ロット専用処理を終了する場合を例にとって、図１０、図１１（ａ）〜（ｄ）及び図１２（ａ）、（ｂ）を参照しながら説明する。尚、図１０は、第３の実施形態に係る生産管理方法の工程全体のフロー図を示しており、図１１（ａ）〜（ｄ）及び図１２（ａ）、（ｂ）は、第３の実施形態に係る生産管理方法の各工程のフロー図を示している。
【０１６７】
〔機能設定工程Ｓ１１〕
図１１（ａ）の機能設定工程のフロー図に示すように、機能設定手段３０１は、コンピュータが管理する記憶装置上において、例えば図１３（ａ）に示す機能設定形式に従って図１３（ｂ）に示す機能設定ファイルの機能実行部に実行開始の対象となる実行機能の種類（本実施形態ではＬＳＩの歩留まり情報の集計）を示す機能名を設定すると共に、図１３（ｂ）に示す機能設定ファイルの機能終了部に実行終了の対象となる実行機能の種類（本実施形態では高優先ロット専用処理）を示す機能名を設定する。
【０１６８】
図１３（ａ）に示す機能設定形式の機能実行部及び機能終了部においては、それぞれ実行機能の種類を示す機能名として、以下に示す３種類のコマンドをそれぞれ複数設定することができると共に、異なる種類のコマンドを組み合わせることができる。
【０１６９】
（１）コンピュータが認識可能な実行コマンド（ＯＳ（オペレーティング・システム）が実行可能なものであれば実行コマンドの種類は特に限定されない。）
（２）データベースを操作するためのコマンド（ＳＱＬコマンド等であって、データベースを操作するためのコマンドの種類は特に限定されない。）
（３）ＨＴＴＰアドレス（ＷＷＷ（World Wide Web）が認識可能なフォーマットであればアドレスの指定方法は特に限定されない。）
また、機能設定形式において、実行機能の実行対象となる生産拠点である実行拠点を設定することができると共に、複数の実行拠点を設定することができる。
【０１７０】
さらに、機能設定形式において、コマンドと実行拠点との組み合わせを複数指定することができると共に、複数の異なる実行拠点で異なるコマンドを実行開始又は実行終了することができる。
【０１７１】
図１３（ｂ）に示す機能設定ファイル３５１ａの機能実行部に設定された内容は、Ａ工場、Ｅ工場及びＦ工場において歩留まり集計１コマンドの実行を開始することを示し、図１３（ｂ）に示す機能設定ファイル３５１ａの機能終了部に設定された内容は、Ｃ研究所において優先専用処理１コマンドの実行を終了することを示している。
【０１７２】
〔実行条件設定工程Ｓ１２〕
図１１（ｂ）の実行条件設定工程における開始条件設定工程のフロー図に示すように、開始条件設定手段３０２は、コンピュータが管理する記憶装置上において、例えば第１の実施形態と同じく図３（ａ）に示す開始条件設定形式に従って図３（ｂ）に示す開始条件設定ファイルに実行開始条件（本実施形態ではＬＳＩの歩留まり情報の集計を開始する条件）を設定する。
【０１７３】
また、図１１（ｂ）の実行条件設定工程における終了条件設定工程のフロー図に示すように、終了条件設定手段３０３は、コンピュータが管理する記憶装置上において、例えば第２の実施形態と同じく図７（ａ）に示す終了条件設定形式に従って図７（ｂ）に示す終了条件設定ファイルに実行終了条件（本実施形態では高優先ロット専用処理を終了する条件）を設定する。
【０１７４】
機能設定ファイル、開始条件設定ファイル又は終了条件設定ファイルへの情報の設定方法は、第１の実施形態における機能設定ファイル等への情報の設定方法と同様である。
【０１７５】
〔実行情報送信工程Ｓ１３〕
図１１（ｃ）の実行情報送信工程のフロー図に示すように、実行情報送信手段３０５は、機能設定ファイルに設定されているコマンド及び実行拠点と、開始条件設定ファイル又は終了条件設定ファイルに設定されている実行開始条件又は実行終了条件とを実行情報３０４としてエージェントシステム３２０に送信する。
【０１７６】
実行情報送信手段３０５において、エージェントシステム３２０に実行情報３０４つまり機能設定ファイル又は開始条件設定ファイル若しくは終了条件設定ファイルを送信する方法としては、ＲＣＰ若しくはＦＴＰ等のプロトコルを用いたファイルコピー又は電子メールへのファイルの添付方式等を用いることができる。
【０１７７】
また、実行情報送信手段３０５において、前記のファイルを送信する方法に代えて、送信先で１つのファイルとして再構築できるように１つのファイルを複数のデータに分割して送信するソケット通信等を用いて実行情報３０４を送信してもよい。
【０１７８】
〔実行情報受信工程Ｓ１４〕
図１１（ｄ）の実行情報受信工程のフロー図に示すように、実行情報受信手段３２１は、実行情報送信手段３０５から送信された実行情報３０４を受信して、コンピューターが管理する記憶装置上に機能設定ファイル又は開始条件設定ファイル若しくは終了条件設定ファイルを蓄積する。
【０１７９】
〔機能制御工程Ｓ１５〕
図１２（ａ）の機能制御工程における機能実行工程のフロー図に示すように、機能実行手段３２２は、機能設定ファイルの機能実行部からコマンド及び実行拠点を抽出すると共に、開始条件設定ファイルから実行開始条件を抽出した後、抽出されたコマンド及び実行拠点をキーとして、第１の実施形態と同じく図４に示すコマンド変換テーブルからローカルコマンド、システム名及び問合せ方法を、抽出されたコマンド及び実行拠点の数だけ繰り返し抽出する。
【０１８０】
次に、機能実行手段３２２は、抽出されたシステム名を有する実行システム３１０が抽出された実行開始条件を満たしているか否かを抽出された問合せ方法を用いることにより定期的に検査し、実行システム３１０が実行開始条件を満たしている場合は、実行システム３１０に抽出されたローカルコマンドの実行開始を指示すると共に、実行システム３１０が指示されたローカルコマンドを実行することにより得た実行結果を実行システム３１０から受信し、受信した実行結果をコンピュータが管理する記憶装置上において第１の実施形態と同じく図５に示す結果返却ファイルに保存する。尚、ローカルコマンドの実行開始の指示及び実行結果の結果返却ファイルへの保存は、抽出されたローカルコマンドの数だけ繰り返し行なう。
【０１８１】
また、図１２（ａ）の機能制御工程における機能終了工程のフロー図に示すように、機能終了手段３２３は、機能設定ファイルの機能終了部からコマンド及び実行拠点を抽出すると共に、終了条件設定ファイルから実行終了条件を抽出した後、抽出されたコマンド及び実行拠点をキーとして、第１の実施形態と同じく図４に示すコマンド変換テーブルからローカルコマンド、システム名及び問合せ方法を、抽出されたコマンド及び実行拠点の数だけ繰り返し抽出する。
【０１８２】
次に、機能終了手段３２３は、抽出されたシステム名を有する実行システム３１０が抽出された実行終了条件を満たしているか否かを抽出された問合せ方法を用いることにより定期的に検査し、実行システム３１０が実行終了条件を満たしている場合は、実行システム３１０に抽出されたローカルコマンドの実行終了を指示すると共に、実行システム３１０が指示されたローカルコマンドを実行することにより得た実行結果を実行システム３１０から受信し、受信した実行結果をコンピュータが管理する記憶装置上において第２の実施形態と同じく図８に示す結果返却ファイルに保存する。尚、ローカルコマンドの実行終了の指示及び実行結果の結果返却ファイルへの保存は、抽出されたローカルコマンドの数だけ繰り返し行なう。
【０１８３】
また、機能実行手段３２２又は機能終了手段３２３が、実行システム３１０が実行開始条件又は実行終了条件を満たしているか否かを定期的に検査したが、これに代えて、実行システム３１０が、該実行システム３１０が実行開始条件又は実行終了条件を満たしている場合に機能実行手段３２２又は機能終了手段３２３にその旨の情報を送信してもよい。
【０１８４】
〔結果通知工程Ｓ１６〕
図１２（ｂ）の結果通知工程のフロー図に示すように、結果通知手段３２４は、第１の実施形態における結果通知手段１２３と同じく、結果返却ファイルに保存されている実行結果を通報機器３３０に出力する。
【０１８５】
第３の実施形態によると、依頼システム３００において実行機能の種類を示す機能名、実行機能の実行対象となる生産拠点及び実行機能の実行開始条件又は実行終了条件を設定すると、エージェントシステム３２０は、設定された実行開始条件又は実行終了条件が満たされているときに、設定された生産拠点において動作する実行システム３１０に、設定された機能名が示す実行機能を実行開始又は実行終了するよう指示するので、実行システム３１０は実行機能を実行開始又は実行終了する。
【０１８６】
従って、依頼システム３００において、機能名、生産拠点及び実行開始条件又は実行終了条件を設定するだけで、設定された生産拠点において動作する実行システム３１０が、設定された実行開始条件又は実行終了条件が満たされているときに、設定された機能名が示す実行機能を実行開始又は実行終了するので、実行システム３１０の操作方法又は機能に習熟していなくても実行機能を実行開始又は実行終了することができる。このため、依頼システム３００において、例えば複数の生産拠点と共に実行機能として情報検索又は製品処理等を設定すると、共通の依頼形式を用いて複数の生産拠点において情報検索の開始又は製品処理の終了等を同時に行なうことができるので、操作時間を短くすることができる。また、依頼システム３００において、例えば実行機能として情報検索又は製品処理等を設定すると共に、実行開始条件又は実行終了条件としてロットの進行状況等を設定すると、ロットの進行状況等に応じて情報検索の開始又は製品処理の終了等をタイムリーに行なうことができる。
【０１８７】
また、第３の実施形態によると、機能設定手段３０１が、Ｗｅｂブラウザ、電子メールソフト又は電話等を用いるため、実行システム３１０の操作方法に習熟していなくても、機能名又は生産拠点の設定を容易に行なうことができる。
【０１８８】
また、第３の実施形態によると、開始条件設定手段３０２が、Ｗｅｂブラウザ、電子メールソフト又は電話等を用いるため、実行システム３１０の操作方法に習熟していなくても、実行開始条件の設定を容易に行なうことができる。
【０１８９】
また、第３の実施形態によると、終了条件設定手段３０３が、Ｗｅｂブラウザ、電子メールソフト又は電話等を用いるため、実行システム３１０の操作方法に習熟していなくても、実行終了条件の設定を容易に行なうことができる。
【０１９０】
また、第３の実施形態によると、機能設定手段３０１が、実行機能の種類を示す機能名として、コンピュータが認識可能な実行コマンド、ＨＴＴＰアドレス又はＳＱＬ文等を設定するため、実行システム３１０の機能に習熟していなくても、機能名の設定を容易に行なうことができる。
【０１９１】
また、第３の実施形態によると、開始条件設定手段３０２が、実行機能の実行開始条件として、特定の機能の一時的な実行停止又は実行再開を開始条件設定ファイル等に設定するため、実行機能の実行開始をより一層タイムリーに行なうことができる。
【０１９２】
また、第３の実施形態によると、終了条件設定手段３０３が、実行機能の実行終了条件として、特定の機能の一時的な実行停止又は実行再開を終了条件設定ファイル等に設定するため、実行機能の実行終了をより一層タイムリーに行なうことができる。
【０１９３】
従って、本実施形態に係る生産管理方法を実現する生産管理プログラムを作成すると共に、コンピュータが読み取り可能な記録媒体に生産管理プログラムを記録しておけば、記録媒体をコンピュータの補助記憶装置に装着することにより、本実施形態に係る生産管理プログラムがコンピュータの主記憶装置にロードされ、所定の動作タイミング（イベント）が発生したときに、コンピュータのＣＰＵによって各手順の所定の機能が実行される。
【０１９４】
（第４の実施形態）
以下、本発明の第４の実施形態に係る生産管理装置について、図面を参照しながら説明する。
【０１９５】
図１４は、第４の実施形態に係る生産管理装置の構成を示すブロック図である。
【０１９６】
図１４に示すように、第４の実施形態に係る生産管理装置は、生産拠点に配置されている装置を管理するために実行しようとする実行機能が設定される依頼システム４００と、生産拠点に配置されている装置を管理する実行システム４１０に実行機能の実行を指示するエージェントシステム４２０と、実行システム４１０が指示された実行機能を実行することにより得た実行結果を通報する通報機器４３０に該実行結果を出力する回答システム４４０とから構成されており、依頼システム４００又は実行システム４１０とエージェントシステム４２０とはコンピュータ・ネットワークを介して接続されていると共に、エージェントシステム４２０と回答システム４４０とはコンピュータ・ネットワークを介して接続されている。
【０１９７】
依頼システム４００は、実行機能の種類を示す機能名及び実行機能の実行対象となる生産拠点をファイル等に設定する機能設定手段４０１と、実行機能の実行開始条件をファイル等に設定する開始条件設定手段４０２と、実行システム４１０が実行機能を実行することにより得られる実行結果を通報機器４３０に出力する方法である結果通知方法をファイル等に設定する通知方法設定手段４０３と、ファイル等に設定されている機能名、生産拠点、実行開始条件及び結果通知方法を実行開始情報４０４としてエージェントシステム４２０に向けて送信する実行開始情報送信手段４０５とを備えている。
【０１９８】
また、エージェントシステム４２０は、実行開始情報送信手段４０５から送信された実行開始情報４０４を受信する実行開始情報受信手段４２１と、実行開始情報４０４に含まれる実行開始条件が満たされているか否かを判断し、満たされていると判断する場合に、実行開始情報４０４に含まれる機能名が示す実行機能を、実行開始情報４０４に含まれる生産拠点において動作する実行システム４１０に実行開始するよう指示すると共に、実行システム４１０が指示された実行機能を実行することにより得た実行結果を実行システム４１０から受信し、受信した実行結果をファイル等に保存する機能実行手段４２２と、ファイル等に保存されている実行結果及び実行開始情報４０４に含まれる結果通知方法を実行結果情報４２３として回答システム４４０に向けて送信する結果送信手段４２４とを備えている。
【０１９９】
また、回答システム４４０は、結果送信手段４２４から送信された実行結果情報４２３を受信する結果受信手段４４１と、実行結果情報４２３に含まれる結果通知方法に基づき、実行結果情報４２３に含まれる実行結果を通報機器４３０に出力する結果通知手段４４２とを備えている。
【０２００】
以下、依頼システム４００、エージェントシステム４２０及び回答システム４４０における前記の各手段について、複数のＬＳＩ生産拠点において緊急度を有する高優先ロットが完了した時点で、ＬＳＩの歩留まり情報を集計する場合を例にとって説明する。
【０２０１】
〔機能設定手段４０１〕
機能設定手段４０１は、コンピュータが管理する記憶装置上において、例えば第１の実施形態と同じく図２（ａ）に示す機能設定形式に従って図２（ｂ）に示す機能設定ファイルに実行機能の種類（本実施形態ではＬＳＩの歩留まり情報の集計）を示す機能名を設定する。
【０２０２】
〔開始条件設定手段４０２〕
開始条件設定手段４０２は、コンピュータが管理する記憶装置上において、例えば第１の実施形態と同じく図３（ａ）に示す開始条件設定形式に従って図３（ｂ）に示す開始条件設定ファイルに実行機能の実行開始条件（本実施形態ではＬＳＩの歩留まり情報の集計を開始する条件）を設定する。
【０２０３】
〔通知方法設定手段４０３〕
通知方法設定手段４０３は、コンピュータが管理する記憶装置上において、例えば図１５（ａ）に示す通知方法設定形式に従って図１５（ｂ）に示す通知方法設定ファイルに結果通知方法を設定する。
【０２０４】
図１５（ａ）に示す通知方法設定形式においては、以下に示す４つの条件を設定することができる。
【０２０５】
（１）対象とするコマンド………機能設定手段４０１が実行機能の種類を示す機能名として設定するコマンドであって、複数設定することができる。
【０２０６】
（２）実行結果の通知先………通報機器とそのアドレスであって、複数の通報機器を設定できると共に、１つの通報機器に対して複数のアドレスを設定することができる。通報機器としては、電話（ＴＥＬ）、電子メール（ＥＭＡＩＬ）、ファクシミリ（ＦＡＸ）、パーソナルコンピュータ（ＰＣ）、大型表示板（ＰＡＮＥＬ）、蛍光サインボード（ＳＩＧＮ）、テレビ（ＴＶ）、ビデオテープレコーダ（ＶＴＲ）、Ｗｅｂページ（ＷＥＢ）等が設定可能である。また、通報機器のアドレスの指定方法は以下の通りである。電話：電話番号、電子メール：電子メールアドレス、ファクシミリ：電話番号又はＩＤ番号、パーソナルコンピュータ：コンピュータアドレス、コンピュータ名称又はＩＤ番号、大型表示板：電話番号、コンピュータアドレス、コンピュータ名称又はＩＤ番号、蛍光サインボード：電話番号、コンピュータアドレス、コンピュータ名称又はＩＤ番号、テレビ：チャンネル番号、コンピュータアドレス、コンピュータ名称又はＩＤ番号、ビデオテープレコーダ：チャンネル番号、コンピュータアドレス、コンピュータ名称又はＩＤ番号、Ｗｅｂページ：ＨＴＴＰアドレス、コンピュータアドレス、コンピュータ名称又はＩＤ番号。
【０２０７】
（３）通知レベル………実行結果を通報機器に出力する際の優先度であって、例えば、「緊急」又は「普通」の２種類の通知レベルを設定することができ、通知レベルとして「緊急」を設定している場合は、通知レベルとして「普通」を設定している場合よりも優先的に通報機器に実行結果を出力する。
【０２０８】
（４）通知モード………実行結果を通報機器に出力する際の出力方法であって、例えば、「必ず」又は「１度」の２種類の通知モードを設定することができ、通知モードとして「必ず」を設定している場合は、実行結果の出力先である通報機器において受信の確認が行なわれるまで実行結果の出力を繰り返し、通知モードとして「１度」を設定している場合は、実行結果の出力先である通報機器において受信の確認が行なわれるか否かに関係なく、１度だけ通報機器に実行結果を出力する。なお、「１度」の通知モードに加えて、「２度」、「３度」、………等の通知モードを設定することにより、複数回にわたって通報機器に実行結果を出力してもよい。
【０２０９】
図１５（ｂ）に示す通知方法設定ファイルに設定された内容は、歩留り集計１コマンドの実行結果を、電子メールでアドレスmatsumoto@krl.mec に、緊急通知レベルで、一度だけ送信することを示している。
【０２１０】
機能設定ファイル、開始条件設定ファイル又は通知方法設定ファイルへの情報の設定方法は、第１の実施形態における機能設定ファイル等への情報の設定方法と同様である。
【０２１１】
また、通知方法設定ファイルに代えて、通知方法設定形式に従ったテーブル又はリスト構造等を用いてもよい。
【０２１２】
〔実行開始情報送信手段４０５〕
実行開始情報送信手段４０５は、機能設定ファイルに設定されているコマンド及び実行拠点と、開始条件設定ファイルに設定されている実行開始条件と、通知方法設定ファイルに設定されている結果通知方法とを実行開始情報４０４としてエージェントシステム４２０に送信する。
【０２１３】
実行開始情報送信手段４０５において、エージェントシステム４２０に実行開始情報４０４つまり機能設定ファイル、開始条件設定ファイル又は通知方法設定ファイルを送信する方法としては、ＲＣＰ若しくはＦＴＰ等のプロトコルを用いたファイルコピー又は電子メールへのファイルの添付方式等を用いることができる。
【０２１４】
また、実行開始情報送信手段４０５において、前記のファイルを送信する方法に代えて、送信先で１つのファイルとして再構築できるように１つのファイルを複数のデータに分割して送信するソケット通信等を用いて実行開始情報４０４を送信してもよい。
【０２１５】
また、実行開始情報送信手段４０５は、複数のエージェントシステムを経由して最終の送信先である最終エージェントシステムに実行開始情報４０４を送信してもよい。
【０２１６】
以下、前記の送信方法について、図１６（ａ）を参照しながら説明する。
【０２１７】
図１６（ａ）は、エージェントシステム１、２、３を経由して依頼システムから最終エージェントシステムに実行開始情報４０４が送信される様子を表している。このとき、実行開始情報送信手段４０５が最終エージェントシステムを直接認識していなくても、送信途中に経由するエージェントシステムが順次、次に経由するエージェントシステムを認識していれば、実行開始情報送信手段４０５は最終エージェントシステムに実行開始情報４０４を送信することができる。尚、認識可能なエージェントシステムの情報は、各エージェントシステムからアクセス可能な記憶装置上のファイル又はリスト構造等に蓄積しておく。
【０２１８】
また、実行開始情報送信手段４０５は、経由するエージェントシステムの負荷の総和が最小となるように複数のエージェントシステムを経由して最終エージェントシステムに実行開始情報４０４を送信してもよい。
【０２１９】
以下、前記の送信方法について、図１６（ｂ）を参照しながら説明する。
【０２２０】
図１６（ｂ）は、複数の経路、具体的には以下に示す５つの経路を経由して依頼システムから最終エージェントシステムに実行開始情報４０４が送信される様子を表している。
【０２２１】
（経路１）依頼システム→エージェントシステム１→エージェントシステム２→エージェントシステム３→最終エージェントシステム
（経路２）依頼システム→エージェントシステム１→エージェントシステム２→エージェントシステム５→最終エージェントシステム
（経路３）依頼システム→エージェントシステム４→エージェントシステム２→エージェントシステム３→最終エージェントシステム
（経路４）依頼システム→エージェントシステム４→エージェントシステム２→エージェントシステム５→最終エージェントシステム
（経路５）依頼システム→エージェントシステム６→最終エージェントシステム
図１６（ｂ）に示すように、複数の経路を経由して実行開始情報４０４を送信することができる場合、実行開始情報送信手段４０５は、例えば図１７に示す負荷監視テーブルを用いることにより、経由先の各エージェントシステム間の負荷の総和が最小になる経路（図１６（ｂ）の場合は経路３）を選択して最終エージェントシステムに実行開始情報４０４を送信することができる。
【０２２２】
図１７に示す負荷監視テーブルは、コンピュータが管理する記憶装置上における、起点、終点及び負荷をアイテムとして持つテーブルであり、実行開始情報転送手段４０５は負荷監視テーブルから経由先の各エージェントシステム間の負荷情報を抽出し、負荷の総和が最小になる経路を選択して最終エージェントシステムに実行開始情報４０４を送信する。
【０２２３】
また、実行開始情報送信手段４０５は、エージェントシステム間の負荷を考慮せずに、経由するエージェントシステムの数が最小となるように（図１６（ｂ）の場合は経路５）複数のエージェントシステムを経由して最終エージェントシステムに実行開始情報４０４を送信してもよい。
【０２２４】
〔実行開始情報受信手段４２１〕
実行開始情報受信手段４２１は、実行開始情報送信手段４０５から送信された実行開始情報４０４を受信して、コンピューターが管理する記憶装置上に機能設定ファイル、開始条件設定ファイル又は通知方法設定ファイルを蓄積する。
【０２２５】
〔機能実行手段４２２〕
まず、機能実行手段４２２は、機能設定ファイルからコマンド及び実行拠点を抽出すると共に、開始条件設定ファイルから実行開始条件を抽出した後、抽出されたコマンド及び実行拠点をキーとして、第１の実施形態と同じく図４に示すコマンド変換テーブルからローカルコマンド、システム名及び問合せ方法を抽出されたコマンド及び実行拠点の数だけ繰り返し抽出する。
【０２２６】
次に、機能実行手段４２２は、抽出されたシステム名を有する実行システム４１０が抽出された実行開始条件を満たしているか否かを抽出された問合せ方法を用いることにより定期的に検査し、実行システム４１０が実行開始条件を満たしている場合は、実行システム４１０に抽出されたローカルコマンドの実行開始を指示すると共に、実行システム４１０が指示されたローカルコマンドを実行することにより得た実行結果を実行システム４１０から受信し、受信した実行結果をコンピュータが管理する記憶装置上において図１８に示す結果返却ファイルに保存する。尚、ローカルコマンドの実行開始の指示及び実行結果の結果返却ファイルへの保存は、抽出されたローカルコマンドの数だけ繰り返し行なう。
【０２２７】
図１８に示す結果返却ファイルに保存された内容は、Ａ工場の実行システムＰＲＩＮＣＥにおいてローカルコマンドＹＩＥＬＤ１（ＬＳＩの歩留まり情報の集計）の実行結果が７６％であることを示している。
【０２２８】
また、結果返却ファイルに代えて、これと同一内容を有するテーブル又はリスト構造等を用いてもよい。
【０２２９】
また、機能実行手段４２２が、実行システム４１０が実行開始条件を満たしているか否かを定期的に検査したが、これに代えて、実行システム４１０が、該実行システム４１０が実行開始条件を満たしている場合に機能実行手段４２２にその旨の情報を送信してもよい。
【０２３０】
〔結果送信手段４２４〕
結果送信手段４２４は、結果返却ファイルに保存されている実行結果と通知方法設定ファイルに設定されている結果通知方法とを実行結果情報４２３として回答システム４４０に送信する。
【０２３１】
結果送信手段４２４において、回答システム４４０に実行結果情報４２３つまり結果返却ファイル又は通知方法設定ファイルを送信する方法としては、ＲＣＰ若しくはＦＴＰ等のプロトコルを用いたファイルコピー又は電子メールへのファイルの添付方式等を用いることができる。
【０２３２】
また、結果送信手段４２４において、前記のファイルを送信する方法に代えて、送信先で１つのファイルとして再構築できるように１つのファイルを複数のデータに分割して送信するソケット通信等を用いて実行結果情報４２３を送信してもよい。
【０２３３】
また、結果送信手段４２４は、実行開始情報送信手段４０５と同じく、複数のエージェントシステムを経由して回答システム４４０に実行結果情報４２３を送信してもよい。
【０２３４】
また、結果送信手段４２４は、実行開始情報送信手段４０５と同じく、経由するエージェントシステムの負荷の総和が最小となるように複数のエージェントシステムを経由して回答システム４４０に実行結果情報４２３を送信してもよい。
【０２３５】
また、結果送信手段４２４は、実行開始情報送信手段４０５と同じく、エージェントシステム間の負荷を考慮せずに、経由するエージェントシステムの数が最小となるように複数のエージェントシステムを経由して回答システム４４０に実行結果情報４２３を送信してもよい。
【０２３６】
〔結果受信手段４４１〕
結果受信手段４４１は、結果送信手段４２４から送信された実行結果情報４２３を受信して、コンピューターが管理する記憶装置上に結果返却ファイル又は通知方法設定ファイルを蓄積する。
【０２３７】
〔結果通知手段４４２〕
結果通知手段４４２は、通知方法設定ファイルから、通知先（通報機器及びそのアドレス）、通知レベル及び通知モードを抽出した後、通知情報番号を付加して図１９に示す通知待ちテーブルに登録すると共に、通知情報番号を結果返却ファイルにも登録する。
【０２３８】
図１９に示す通知待ちテーブルは、コンピュータが管理する記憶装置上における、通報機器、機器アドレス、通知情報番号、通知レベル及び通知モードをアイテムとして持つテーブルであり、通知待ちテーブルに通知情報番号を付加する場合、通知情報番号の重複を防止するため、例えば１、２、３………のように順次自然数を付加してもよい。
【０２３９】
次に、結果通知手段４４２は、通知待ちテーブルに基づいて、結果返却ファイルに保存されている実行結果を通報機器４３０に出力し、その後、通知待ちテーブルの該当レコードを削除する。
【０２４０】
具体的には、例えば電子メールに実行結果を出力する場合、結果通知手段４４２は、一定時間毎にＥＭＡＩＬを検索キーとして通知待ちテーブルから機器アドレス、通知情報番号、通知レベル及び通知モードを抽出した後、抽出された通知情報番号の小さな順に結果返却ファイルの情報を抽出された機器アドレスを有する電子メールに送信する。このとき、通知情報番号の大小に関わらず、通知レベルが「緊急」である情報を優先して送信すると共に、通知モードが「必ず」である情報は、通知先において受信確認が行なわれるまで繰り返し送信する。
【０２４１】
第４の実施形態によると、依頼システム４００において実行機能の種類を示す機能名、実行機能の実行対象となる生産拠点及び実行機能の実行開始条件を設定すると、エージェントシステム４２０は、設定された実行開始条件が満たされているときに、設定された生産拠点において動作する実行システム４１０に、設定された機能名が示す実行機能を実行開始するよう指示するので、実行システム４１０は実行機能を実行開始する。
【０２４２】
従って、依頼システム４００において、機能名、生産拠点及び実行開始条件を設定するだけで、設定された生産拠点において動作する実行システム４１０が、設定された実行開始条件が満たされているときに、設定された機能名が示す実行機能を実行開始するので、実行システム４１０の操作方法又は機能に習熟していなくても実行機能を実行開始することができる。このため、依頼システム４００において、例えば複数の生産拠点と共に実行機能として情報検索等を設定すると、共通の依頼形式を用いて複数の生産拠点において情報検索等の開始を同時に行なうことができるので、操作時間を短くすることができる。また、依頼システム４００において、例えば実行機能として情報検索等を設定すると共に、実行開始条件としてロットの進行状況等を設定すると、ロットの進行状況等に応じて情報検索等の開始をタイムリーに行なうことができる。
【０２４３】
また、第４の実施形態によると、結果通知手段４４２が、実行システム４１０が実行機能を実行することにより得られる実行結果を通報機器４３０に、通知方法設定手段４０３により設定された結果通知方法に基づいて出力することができるため、例えば通知方法設定手段４０３が結果通知方法として通知先（所定の通報機器及びそのアドレス）を設定することにより、所定の通報機器４３０に実行結果を確実に出力できると共に、実行結果を共通のフォーマットで出力することができるので、実行結果を確実に受け取れると共に、実行結果の内容が理解しやすくなる。
【０２４４】
また、第４の実施形態によると、実行開始情報送信手段４０５が、複数のエージェントシステムを経由して最終の送信先であるエージェントシステムに向けて実行開始情報４０４を送信することができるため、実行開始情報送信手段４０５が直接認識していないエージェントシステムに向けて実行開始情報４０４を送信することができる。
【０２４５】
また、第４の実施形態によると、実行開始情報送信手段４０５が、経由するエージェントシステムの負荷の総和が最小となるように複数のエージェントシステムを経由して最終の送信先であるエージェントシステムに向けて実行開始情報４０４を送信することができるため、最終の送信先であるエージェントシステムに向けて実行開始情報４０４を効率よく送信することができる。
【０２４６】
また、第４の実施形態によると、実行開始情報送信手段４０５が、経由するエージェントシステムの数が最小となるように複数のエージェントシステムを経由して最終の送信先であるエージェントシステムに向けて実行開始情報４０４を送信することができるため、最終の送信先であるエージェントシステムに向けて実行開始情報４０４を簡易に送信することができる。
【０２４７】
また、第４の実施形態によると、通知方法設定手段４０４が、Ｗｅｂブラウザ、電子メールソフト又は電話等を用いるため、実行システム４１０の操作方法に習熟していなくても、結果通知方法の設定を容易に行なうことができる。
【０２４８】
また、第４の実施形態によると、通知方法設定手段４０４が、結果通知方法として、実行システム４１０が実行機能を実行することにより得られる実行結果を通報機器４３０に出力する際の緊急度合いを示す通知レベルを設定すると共に、結果通知手段４４２が、通知レベルに基づき通報機器４３０に実行結果を出力するため、緊急度の高い実行結果の通報機器４３０への出力を優先的に行なうことができる。
【０２４９】
また、第４の実施形態によると、通知方法設定手段４０４が、結果通知方法として、実行システム４１０が実行機能を実行することにより得られる実行結果を通報機器４３０に出力する際に、該通報機器４３０における実行結果の受け取りを確認するか否かを示す通知モードを設定すると共に、結果通知手段４４２が、通知モードが通報機器４３０における実行結果の受け取りを確認するように設定されている場合に、通報機器４３０における実行結果の受け取りを確認できるまで、通報機器４３０に実行結果を繰り返し出力するため、重要な実行結果の通報機器４３０への出力を確実に行なうことができる。
【０２５０】
また、第４の実施形態によると、結果送信手段４２４が、複数のエージェントシステムを経由して回答システム４４０に向けて実行結果情報４２３を送信することができるため、結果送信手段４２４が直接認識していない回答システム４４０に向けて実行結果情報４２３を送信することができる。
【０２５１】
また、第４の実施形態によると、結果送信手段４２４が、経由するエージェントシステムの負荷の総和が最小となるように複数のエージェントシステムを経由して回答システム４４０に向けて実行結果情報４２３を送信することができるため、回答システム４４０に向けて実行結果情報４２３を効率よく送信することができる。
【０２５２】
また、第４の実施形態によると、結果送信手段４２４が、経由するエージェントシステムの数が最小となるように複数のエージェントシステムを経由して回答システム４４０に向けて実行結果情報４２３を送信することができるため、回答システム４４０に向けて実行結果情報４２３を簡易に送信することができる。
【０２５３】
（第５の実施形態）
以下、本発明の第５の実施形態に係る生産管理装置について、図面を参照しながら説明する。
【０２５４】
図２０は、第５の実施形態に係る生産管理装置の構成を示すブロック図である。
【０２５５】
図２０に示すように、第５の実施形態に係る生産管理装置は、生産拠点に配置されている装置を管理するために実行しようとする実行機能が設定される依頼システム５００と、生産拠点に配置されている装置を管理する実行システム５１０に実行機能の実行を指示するエージェントシステム５２０と、実行システム５１０が指示された実行機能を実行することにより得た実行結果を通報する通報機器５３０に該実行結果を出力する回答システム５４０とから構成されており、依頼システム５００又は実行システム５１０とエージェントシステム５２０とはコンピュータ・ネットワークを介して接続されていると共に、エージェントシステム５２０と回答システム５４０とはコンピュータ・ネットワークを介して接続されている。
【０２５６】
依頼システム５００は、実行機能の種類を示す機能名及び実行機能の実行対象となる生産拠点をファイル等に設定する機能設定手段５０１と、実行機能の実行終了条件をファイル等に設定する終了条件設定手段５０２と、実行システム５１０が実行機能を実行することにより得られる実行結果を通報機器５３０に出力する方法である結果通知方法をファイル等に設定する通知方法設定手段５０３と、ファイル等に設定されている機能名、生産拠点、実行終了条件及び結果通知方法を実行終了情報５０４としてエージェントシステム５２０に向けて送信する実行終了情報送信手段５０５とを備えている。
【０２５７】
また、エージェントシステム５２０は、実行終了情報送信手段５０５から送信された実行終了情報５０４を受信する実行終了情報受信手段５２１と、実行終了情報５０４に含まれる実行終了条件が満たされているか否かを判断し、満たされていると判断する場合に、実行終了情報５０４に含まれる機能名が示す実行機能を、実行終了情報５０４に含まれる生産拠点において動作する実行システム５１０に実行終了するよう指示すると共に、実行システム５１０が指示された実行機能を実行することにより得た実行結果を実行システム５１０から受信し、受信した実行結果をファイル等に保存する機能終了手段５２２と、ファイル等に保存されている実行結果及び実行終了情報５０４に含まれる結果通知方法を実行結果情報５２３として回答システム５４０に向けて送信する結果送信手段５２４とを備えている。
【０２５８】
また、回答システム５４０は、結果送信手段５２４から送信された実行結果情報５２３を受信する結果受信手段５４１と、実行結果情報５２３に含まれる結果通知方法に基づき、実行結果情報５２３に含まれる実行結果を通報機器５３０に出力する結果通知手段５４２とを備えている。
【０２５９】
以下、依頼システム５００、エージェントシステム５２０及び回答システム５４０における前記の各手段について、複数のＬＳＩ生産拠点において緊急度を有する高優先ロットが完了した時点で、高優先ロット専用処理及びロット投入数制限を終了する場合を例にとって説明する。
【０２６０】
〔機能設定手段５０１〕
機能設定手段５０１は、コンピュータが管理する記憶装置上において、例えば第１の実施形態と同じく図２（ａ）に示す機能設定形式に従って図２（ｃ）に示す機能設定ファイルに実行機能の種類（本実施形態では高優先ロット専用処理及びロット投入数制限）を示す機能名を設定する。
【０２６１】
〔終了条件設定手段５０２〕
終了条件設定手段５０２は、コンピュータが管理する記憶装置上において、例えば第２の実施形態と同じく図７（ａ）に示す終了条件設定形式に従って図７（ｂ）に示す終了条件設定ファイルに実行機能の実行終了条件（本実施形態では高優先ロット専用処理及びロット投入数制限を終了する条件）を設定する。
【０２６２】
〔通知方法設定手段５０３〕
通知方法設定手段５０３は、第４の実施形態における通知方法設定手段４０３と同じく、コンピュータが管理する記憶装置上において、例えば図１５（ａ）に示す通知方法設定形式に従って図１５（ｃ）に示す通知方法設定ファイルに結果通知方法を設定する。
【０２６３】
図１５（ｃ）に示す通知方法設定ファイルに設定された内容は、優先専用処理１コマンド及び投入数制限１コマンドの実行結果を、電話で番号７−６４９−８０４０に、普通通知レベルで、一度だけ送信することを示している。
【０２６４】
機能設定ファイル、終了条件設定ファイル又は通知方法設定ファイルへの情報の設定方法は、第１の実施形態の機能設定ファイル等への情報の設定方法と同様である。
【０２６５】
〔実行終了情報送信手段５０５〕
実行終了情報送信手段５０５は、機能設定ファイルに設定されているコマンド及び実行拠点と、終了条件設定ファイルに設定されている実行終了条件と、通知方法設定ファイルに設定されている結果通知方法とを実行終了情報５０４としてエージェントシステム５２０に送信する。
【０２６６】
実行終了情報送信手段５０５において、エージェントシステム５２０に実行終了情報５０４つまり機能設定ファイル、終了条件設定ファイル又は通知方法設定ファイルを送信する方法としては、ＲＣＰ若しくはＦＴＰ等のプロトコルを用いたファイルコピー又は電子メールへのファイルの添付方式等を用いることができる。
【０２６７】
また、実行終了情報送信手段５０５において、前記のファイルを送信する方法に代えて、送信先で１つのファイルとして再構築できるように１つのファイルを複数のデータに分割して送信するソケット通信等を用いて実行終了情報５０４を送信してもよい。
【０２６８】
また、実行終了情報送信手段５０５は、第４の実施形態における実行開始情報送信手段４０５と同じく、複数のエージェントシステムを経由して最終の送信先である最終エージェントシステムに実行終了情報５０４を送信してもよい。
【０２６９】
また、実行終了情報送信手段５０５は、第４の実施形態における実行開始情報送信手段４０５と同じく図１７に示す負荷監視テーブルを用いることにより、経由するエージェントシステムの負荷の総和が最小となるように複数のエージェントシステムを経由して最終エージェントシステムに実行終了情報５０４を送信してもよい。
【０２７０】
また、実行終了情報送信手段５０５は、第４の実施形態における実行開始情報送信手段４０５と同じく、エージェントシステム間の負荷を考慮せずに、経由するエージェントシステムの数が最小となるように複数のエージェントシステムを経由して最終エージェントシステムに実行終了情報５０４を送信してもよい。
【０２７１】
〔実行終了情報受信手段５２１〕
実行終了情報受信手段５２１は、実行終了情報送信手段５０５から送信された実行終了情報５０４を受信して、コンピューターが管理する記憶装置上に機能設定ファイル、終了条件設定ファイル又は通知方法設定ファイルを蓄積する。
【０２７２】
〔機能終了手段５２２〕
まず、機能終了手段５２２は、機能設定ファイルからコマンド及び実行拠点を抽出すると共に、終了条件設定ファイルから実行終了条件を抽出した後、抽出されたコマンド及び実行拠点をキーとして、第１の実施形態と同じく図４に示すコマンド変換テーブルからローカルコマンド、システム名及び問合せ方法を抽出されたコマンド及び実行拠点の数だけ繰り返し抽出する。
【０２７３】
次に、機能終了手段５２２は、抽出されたシステム名を有する実行システム５１０が抽出された実行終了条件を満たしているか否かを抽出された問合せ方法を用いることにより定期的に検査し、実行システム５１０が実行終了条件を満たしている場合は、実行システム５１０に抽出されたローカルコマンドの実行終了を指示すると共に、実行システム５１０が指示されたローカルコマンドを実行することにより得た実行結果を実行システム５１０から受信し、受信した実行結果をコンピュータが管理する記憶装置上において図２１に示す結果返却ファイルに保存する。尚、ローカルコマンドの実行終了の指示及び実行結果の結果返却ファイルへの保存は、抽出されたローカルコマンドの数だけ繰り返し行なう。
【０２７４】
図２１に示す結果返却ファイルに保存された内容は、Ｃ研究所の実行システムＳＯＬＯＭにおいてローカルコマンドＰＴＣ１（高優先ロット専用処理）の実行結果が正常終了であることを示している。
【０２７５】
また、結果返却ファイルに代えて、これと同一内容を有するテーブル又はリスト構造等を用いてもよい。
【０２７６】
また、機能終了手段５２２が、実行システム５１０が実行終了条件を満たしているか否かを定期的に検査したが、これに代えて、実行システム５１０が、該実行システム５１０が実行終了条件を満たしている場合に機能終了手段５２２にその旨の情報を送信してもよい。
【０２７７】
〔結果送信手段５２４〕
結果送信手段５２４は、第４の実施形態における結果送信手段４２４と同じく、結果返却ファイルに保存されている実行結果と通知方法設定ファイルに設定されている結果通知方法とを実行結果情報５２３として回答システム５４０に送信する。
【０２７８】
〔結果受信手段５４１〕
結果受信手段５４１は、結果送信手段５２４から送信された実行結果情報５２３を受信して、コンピューターが管理する記憶装置上に結果返却ファイル又は通知方法設定ファイルを蓄積する。
【０２７９】
〔結果通知手段５４２〕
結果通知手段５４２は、第４の実施形態における結果通知手段４４２と同じく、通知方法設定ファイルから、通知先（通報機器及びそのアドレス）、通知レベル及び通知モードを抽出した後、通知情報番号を付加して、第４の実施形態と同じく図１９に示す通知待ちテーブルに登録すると共に、通知情報番号を結果返却ファイルにも登録する。
【０２８０】
次に、結果通知手段５４２は、通知待ちテーブルに基づいて、結果返却ファイルに保存されている実行結果を通報機器５３０に出力し、その後、通知待ちテーブルの該当レコードを削除する。
【０２８１】
具体的には、例えば電話に実行結果を出力する場合、結果通知手段５４２は、一定時間毎にＴＥＬを検索キーとして通知待ちテーブルから機器アドレス、通知情報番号、通知レベル及び通知モードを抽出した後、抽出された通知情報番号の小さな順に結果返却ファイルの情報を抽出された機器アドレスを有する電話に送信する。このとき、通知情報番号の大小に関わらず、通知レベルが「緊急」である情報を優先して送信すると共に、通知モードが「必ず」である情報は、通知先において受信確認が行なわれるまで繰り返し送信する。
【０２８２】
第５の実施形態によると、依頼システム５００において実行機能の種類を示す機能名、実行機能の実行対象となる生産拠点及び実行機能の実行終了条件を設定すると、エージェントシステム５２０は、設定された実行終了条件が満たされているときに、設定された生産拠点において動作する実行システム５１０に、設定された機能名が示す実行機能を実行終了するよう指示するので、実行システム５１０は実行機能を実行終了する。
【０２８３】
従って、依頼システム５００において、機能名、生産拠点及び実行終了条件を設定するだけで、設定された生産拠点において動作する実行システム５１０が、設定された実行終了条件が満たされているときに、設定された機能名が示す実行機能を実行終了するので、実行システム５１０の操作方法又は機能に習熟していなくても実行機能を実行終了することができる。このため、依頼システム５００において、例えば複数の生産拠点と共に実行機能として製品処理等を設定すると、共通の依頼形式を用いて複数の生産拠点において製品処理等の終了を同時に行なうことができるので、操作時間を短くすることができる。また、依頼システム５００において、例えば実行機能として製品処理等を設定すると共に、実行終了条件としてロットの進行状況等を設定すると、ロットの進行状況等に応じて製品処理等の終了をタイムリーに行なうことができる。
【０２８４】
また、第５の実施形態によると、実行終了情報送信手段５０５が、複数のエージェントシステムを経由して最終の送信先であるエージェントシステムに向けて実行終了情報５０４を送信することができるため、実行終了情報送信手段５０５が直接認識していないエージェントシステムに向けて実行終了情報５０４を送信することができる。
【０２８５】
また、第５の実施形態によると、実行終了情報送信手段５０５が、経由するエージェントシステムの負荷の総和が最小となるように複数のエージェントシステムを経由して最終の送信先であるエージェントシステムに向けて実行終了情報５０４を送信することができるため、最終の送信先であるエージェントシステムに向けて実行終了情報５０４を効率よく送信することができる。
【０２８６】
また、第５の実施形態によると、実行終了情報送信手段５０５が、経由するエージェントシステムの数が最小となるように複数のエージェントシステムを経由して最終の送信先であるエージェントシステムに向けて実行終了情報５０４を送信することができるため、最終の送信先であるエージェントシステムに向けて実行終了情報５０４を簡易に送信することができる。
【０２８７】
（第６の実施形態）
以下、本発明の第６の実施形態に係る生産管理装置、生産管理方法、及び生産管理プログラムが記録されたコンピュータ読み取り可能な記録媒体について、図面を参照しながら説明する。
【０２８８】
図２２は、第６の実施形態に係る生産管理装置の構成を示すブロック図である。
【０２８９】
図２２に示すように、第６の実施形態に係る生産管理装置は、生産拠点に配置されている装置を管理するために実行しようとする実行機能が設定される依頼システム６００と、生産拠点に配置されている装置を管理する実行システム６１０に実行機能の実行を指示するエージェントシステム６２０と、実行システム６１０が指示された実行機能を実行することにより得た実行結果を通報する通報機器６３０に該実行結果を出力する回答システム６４０とから構成されており、依頼システム６００又は実行システム６１０とエージェントシステム６２０とはコンピュータ・ネットワークを介して接続されていると共に、エージェントシステム６２０と回答システム６４０とはコンピュータ・ネットワークを介して接続されている。
【０２９０】
依頼システム６００は、実行機能の種類を示す機能名及び実行機能の実行対象となる生産拠点をファイル等に設定する機能設定手段６０１と、実行機能の実行開始条件をファイル等に設定する開始条件設定手段６０２と、実行機能の実行終了条件をファイル等に設定する終了条件設定手段６０３と、実行システム６１０が実行機能を実行することにより得られる実行結果を通報機器５３０に出力する方法である結果通知方法をファイル等に設定する通知方法設定手段６０４と、ファイル等に設定されている機能名及び生産拠点、実行開始条件又は実行終了条件、並びに結果通知方法を実行情報６０５としてエージェントシステム６２０に向けて送信する実行情報送信手段６０６とを備えている。
【０２９１】
また、エージェントシステム６２０は、実行情報送信手段６０６から送信された実行情報６０５を受信する実行情報受信手段６２１と、実行情報６０５に含まれる実行開始条件が満たされているか否かを判断し、満たされていると判断する場合に、実行情報６０５に含まれる機能名が示す実行機能を、実行情報６０５に含まれる生産拠点において動作する実行システム６１０に実行開始するよう指示すると共に、実行システム６１０が指示された実行機能を実行することにより得た実行結果を実行システム６１０から受信し、受信した実行結果をファイル等に保存する機能実行手段６２２と、実行情報６０５に含まれる実行終了条件が満たされているか否かを判断し、満たされていると判断する場合に、実行情報６０５に含まれる機能名が示す実行機能を、実行情報６０５に含まれる生産拠点において動作する実行システム６１０に実行終了するよう指示すると共に、実行システム６１０が指示された実行機能を実行することにより得た実行結果を実行システム６１０から受信し、受信した実行結果をファイル等に保存する機能終了手段６２３と、ファイル等に保存されている実行結果及び実行情報６０５に含まれる結果通知方法を実行結果情報６２４として回答システム６４０に向けて送信する結果送信手段６２５とを備えている。
【０２９２】
また、回答システム６４０は、結果送信手段６２５から送信された実行結果情報６２４を受信する結果受信手段６４１と、実行結果情報６２４に含まれる結果通知方法に基づき、実行結果情報６２４に含まれる実行結果を通報機器６３０に出力する結果通知手段６４２とを備えている。
【０２９３】
以下、第６の実施形態に係る生産管理装置を用いて行なう生産管理方法について、複数のＬＳＩ生産拠点において緊急度を有する高優先ロットが完了した時点で、ＬＳＩの歩留まり情報を集計すると共に、高優先ロット専用処理を終了する場合を例にとって、図２３、図２４（ａ）〜（ｃ）及び図２５（ａ）〜（ｃ）を参照しながら説明する。尚、図２３は、第６の実施形態に係る生産管理方法の工程全体のフロー図を示しており、図２４（ａ）〜（ｃ）及び図２５（ａ）〜（ｃ）は、第３の実施形態に係る生産管理方法の各工程のフロー図を示している。
【０２９４】
〔機能設定工程Ｓ２１〕
第３の実施形態と同じく図１１（ａ）の機能設定工程のフロー図に示すように、機能設定手段６０１は、コンピュータが管理する記憶装置上において、例えば第３の実施形態と同じく図１３（ａ）に示す機能設定形式に従って図１３（ｂ）に示す機能設定ファイルの機能実行部に実行開始の対象となる実行機能の種類（本実施形態ではＬＳＩの歩留まり情報の集計）を示す機能名を設定すると共に、図１３（ｂ）に示す機能設定ファイルの機能終了部に実行終了の対象となる実行機能の種類（本実施形態では高優先ロット専用処理）を示す機能名を設定する。
【０２９５】
〔実行条件設定工程Ｓ２２〕
第３の実施形態と同じく図１１（ｂ）の実行条件設定工程における開始条件設定工程のフロー図に示すように、開始条件設定手段６０２は、コンピュータが管理する記憶装置上において、例えば第１の実施形態と同じく図３（ａ）に示す開始条件設定形式に従って図３（ｂ）に示す開始条件設定ファイルに実行開始条件（本実施形態ではＬＳＩの歩留まり情報の集計を開始する条件）を設定する。
【０２９６】
また、第３の実施形態と同じく図１１（ｂ）の実行条件設定工程における終了条件設定工程のフロー図に示すように、終了条件設定手段６０３は、コンピュータが管理する記憶装置上において、例えば第２の実施形態と同じく図７（ａ）に示す終了条件設定形式に従って図７（ｂ）に示す終了条件設定ファイルに実行終了条件（本実施形態では高優先ロット専用処理を終了する条件）を設定する。
【０２９７】
〔通知方法設定工程Ｓ２３〕
図２４（ａ）の通知方法設定工程のフロー図に示すように、通知方法設定手段６０４は、第４の実施形態における通知方法設定手段４０３と同じく、コンピュータが管理する記憶装置上において、例えば図１５（ａ）に示す通知方法設定形式に従って図１５（ｂ）に示す通知方法設定ファイルに歩留まり集計１コマンドの結果通知方法を設定すると共に、第５の実施形態と同じく図１５（ｃ）に示す通知方法設定ファイルに優先専用処理１コマンドの結果通知方法を設定する。
【０２９８】
機能設定ファイル、開始条件設定ファイル若しくは終了条件設定ファイル、又は通知方法設定ファイルへの情報の設定方法は、第１の実施形態における機能設定ファイル等への情報の設定方法と同様である。
【０２９９】
〔実行情報送信工程Ｓ２４〕
図２４（ｂ）の実行情報送信工程のフロー図に示すように、実行情報送信手段６０６は、機能設定ファイルに設定されているコマンド及び実行拠点と、開始条件設定ファイル又は終了条件設定ファイルに設定されている実行開始条件又は実行終了条件と、通知方法設定ファイルに設定されている結果通知方法とを実行情報６０５としてエージェントシステム６２０に送信する。
【０３００】
実行情報送信手段６０６において、エージェントシステム６２０に実行情報６０５つまり機能設定ファイル、開始条件設定ファイル若しくは終了条件設定ファイル、又は通知方法設定ファイルを送信する方法としては、ＲＣＰ若しくはＦＴＰ等のプロトコルを用いたファイルコピー又は電子メールへのファイルの添付方式等を用いることができる。
【０３０１】
また、実行情報送信手段６０６において、前記のファイルを送信する方法に代えて、送信先で１つのファイルとして再構築できるように１つのファイルを複数のデータに分割して送信するソケット通信等を用いて実行情報６０５を送信してもよい。
【０３０２】
また、実行情報送信手段６０６は、第４の実施形態における実行開始情報送信手段４０５と同じく、複数のエージェントシステムを経由して最終の送信先である最終エージェントシステムに実行情報６０５を送信してもよい。
【０３０３】
また、実行情報送信手段６０６は、第４の実施形態における実行開始情報送信手段４０５と同じく図１７に示す負荷監視テーブルを用いることにより、経由するエージェントシステムの負荷の総和が最小となるように複数のエージェントシステムを経由して最終エージェントシステムに実行情報６０５を送信してもよい。
【０３０４】
また、実行情報送信手段６０６は、第４の実施形態における実行開始情報送信手段４０５と同じく、エージェントシステム間の負荷を考慮せずに、経由するエージェントシステムの数が最小となるように複数のエージェントシステムを経由して最終エージェントシステムに実行情報６０５を送信してもよい。
【０３０５】
〔実行情報受信工程Ｓ２５〕
図２４（ｃ）の実行情報受信工程のフロー図に示すように、実行情報受信手段６２１は、実行情報送信手段６０６から送信された実行情報６０５を受信して、コンピューターが管理する記憶装置上に機能設定ファイル、開始条件設定ファイル若しくは終了条件設定ファイル、又は通知方法設定ファイルを蓄積する。
【０３０６】
〔機能制御工程Ｓ２６〕
第３の実施形態と同じく図１２（ａ）の機能制御工程における機能実行工程のフロー図に示すように、機能実行手段６２２は、機能設定ファイルの機能実行部からコマンド及び実行拠点を抽出すると共に、開始条件設定ファイルから実行開始条件を抽出した後、抽出されたコマンド及び実行拠点をキーとして、第１の実施形態と同じく図４に示すコマンド変換テーブルからローカルコマンド、システム名及び問合せ方法を、抽出されたコマンド及び実行拠点の数だけ繰り返し抽出する。
【０３０７】
次に、機能実行手段６２２は、抽出されたシステム名を有する実行システム６１０が抽出された実行開始条件を満たしているか否かを抽出された問合せ方法を用いることにより定期的に検査し、実行システム６１０が実行開始条件を満たしている場合は、実行システム６１０に抽出されたローカルコマンドの実行開始を指示すると共に、実行システム６１０が指示されたローカルコマンドを実行することにより得た実行結果を実行システム６１０から受信し、受信した実行結果をコンピュータが管理する記憶装置上において第４の実施形態と同じく図１８に示す結果返却ファイルに保存する。尚、ローカルコマンドの実行開始の指示及び実行結果の結果返却ファイルへの保存は、抽出されたローカルコマンドの数だけ繰り返し行なう。
【０３０８】
また、第３の実施形態と同じく図１２（ａ）の機能制御工程における機能終了工程のフロー図に示すように、機能終了手段６２３は、機能設定ファイルの機能終了部からコマンド及び実行拠点を抽出すると共に、終了条件設定ファイルから実行終了条件を抽出した後、抽出されたコマンド及び実行拠点をキーとして、第１の実施形態と同じく図４に示すコマンド変換テーブルからローカルコマンド、システム名及び問合せ方法を、抽出されたコマンド及び実行拠点の数だけ繰り返し抽出する。
【０３０９】
次に、機能終了手段６２３は、抽出されたシステム名を有する実行システム６１０が抽出された実行終了条件を満たしているか否かを抽出された問合せ方法を用いることにより定期的に検査し、実行システム６１０が実行終了条件を満たしている場合は、実行システム６１０に抽出されたローカルコマンドの実行終了を指示すると共に、実行システム６１０が指示されたローカルコマンドを実行することにより得た実行結果を実行システム６１０から受信し、受信した実行結果をコンピュータが管理する記憶装置上において第５の実施形態と同じく図２１に示す結果返却ファイルに保存する。尚、ローカルコマンドの実行終了の指示及び実行結果の結果返却ファイルへの保存は、抽出されたローカルコマンドの数だけ繰り返し行なう。
【０３１０】
また、機能実行手段６２２又は機能終了手段６２３が、実行システム６１０が実行開始条件又は実行終了条件を満たしているか否かを定期的に検査したが、これに代えて、実行システム６１０が、該実行システム６１０が実行開始条件又は実行終了条件を満たしている場合に機能実行手段６２２又は機能終了手段６２３にその旨の情報を送信してもよい。
【０３１１】
〔結果送信工程Ｓ２７〕
図２５（ａ）の結果送信工程のフロー図に示すように、結果送信手段６２５は、第４の実施形態における結果送信手段４２４と同じく、結果返却ファイルに保存されている実行結果と通知方法設定ファイルに設定されている結果通知方法とを実行結果情報６２４として回答システム６４０に送信する。
【０３１２】
〔結果受信工程Ｓ２８〕
図２５（ｂ）の結果受信工程のフロー図に示すように、結果受信手段６４１は、エージェントシステム６２０から送信された実行結果情報６２４を受信して、コンピューターが管理する記憶装置上に結果返却ファイル又は通知方法設定ファイルを蓄積する。
【０３１３】
〔結果通知工程Ｓ２９〕
図２５（ｃ）の結果通知工程のフロー図に示すように、結果通知手段６４２は、第４の実施形態における結果通知手段４４２と同じく、通知方法設定ファイルから、通知先（通報機器及びそのアドレス）、通知レベル及び通知モードを抽出した後、通知情報番号を付加して、第４の実施形態と同じく図１９に示す通知待ちテーブルに登録すると共に、通知情報番号を結果返却ファイルにも登録する。
【０３１４】
次に、結果通知手段６４２は、通知待ちテーブルに基づいて、結果返却ファイルに保存されている実行結果を通報機器６３０に出力し、その後、通知待ちテーブルの該当レコードを削除する。
【０３１５】
第６の実施形態によると、依頼システム６００において実行機能の種類を示す機能名、実行機能の実行対象となる生産拠点及び実行機能の実行開始条件又は実行終了条件を設定すると、エージェントシステム６２０は、設定された実行開始条件又は実行終了条件が満たされているときに、設定された生産拠点において動作する実行システム６１０に、設定された機能名が示す実行機能を実行開始又は実行終了するよう指示するので、実行システム６１０は実行機能を実行開始又は実行終了する。
【０３１６】
従って、依頼システム６００において、機能名、生産拠点及び実行開始条件又は実行終了条件を設定するだけで、設定された生産拠点において動作する実行システム６１０が、設定された実行開始条件又は実行終了条件が満たされているときに、設定された機能名が示す実行機能を実行開始又は実行終了するので、実行システム６１０の操作方法又は機能に習熟していなくても実行機能を実行開始又は実行終了することができる。このため、依頼システム６００において、例えば複数の生産拠点と共に実行機能として情報検索又は製品処理等を設定すると、共通の依頼形式を用いて複数の生産拠点において情報検索の開始又は製品処理の終了等を同時に行なうことができるので、操作時間を短くすることができる。また、依頼システム６００において、例えば実行機能として情報検索又は製品処理等を設定すると共に、実行開始条件又は実行終了条件としてロットの進行状況等を設定すると、ロットの進行状況等に応じて情報検索の開始又は製品処理の終了等をタイムリーに行なうことができる。
【０３１７】
また、第６の実施形態によると、実行情報送信手段６０６が、複数のエージェントシステムを経由して最終の送信先であるエージェントシステムに向けて実行情報６０５を送信することができるため、実行情報送信手段６０６が直接認識していないエージェントシステムに向けて実行情報６０５を送信することができる。
【０３１８】
また、第６の実施形態によると、実行情報送信手段６０６が、経由するエージェントシステムの負荷の総和が最小となるように複数のエージェントシステムを経由して最終の送信先であるエージェントシステムに向けて実行情報６０５を送信することができるため、最終の送信先であるエージェントシステムに向けて実行情報６０５を効率よく送信することができる。
【０３１９】
また、第６の実施形態によると、実行情報送信手段６０６が、経由するエージェントシステムの数が最小となるように複数のエージェントシステムを経由して最終の送信先であるエージェントシステムに向けて実行情報６０５を送信することができるため、最終の送信先であるエージェントシステムに向けて実行情報６０５を簡易に送信することができる。
【０３２０】
従って、本実施形態に係る生産管理方法を実現する生産管理プログラムを作成すると共に、コンピュータが読み取り可能な記録媒体に生産管理プログラムを記録しておけば、記録媒体をコンピュータの補助記憶装置に装着することにより、本実施形態に係る生産管理プログラムがコンピュータの主記憶装置にロードされ、所定の動作タイミング（イベント）が発生したときに、コンピュータのＣＰＵによって各手順の所定の機能が実行される。
【０３２１】
【発明の効果】
第１の生産管理装置によると、依頼システムにおいて、機能名、生産拠点及び実行開始条件を設定するだけで、設定された生産拠点において動作する実行システムが、設定された実行開始条件が満たされているときに、設定された機能名が示す実行機能を実行開始するため、実行システムの操作方法又は機能に習熟していなくても実行機能を実行開始することができる。従って、依頼システムにおいて、例えば複数の生産拠点と共に実行機能として情報検索等を設定すると、共通の依頼形式を用いて複数の生産拠点において情報検索等の開始を同時に行なうことができるので、操作時間を短くすることができる。また、例えば実行機能として情報検索等を設定すると共に、実行開始条件としてロットの進行状況等を設定すると、ロットの進行状況等に応じて情報検索等の開始をタイムリーに行なうことができる。
【０３２２】
また、第１の生産管理装置によると、結果通知手段が、実行システムが指示された実行機能を実行することにより得た実行結果を通報機器に出力するため、実行結果を共通のフォーマットで出力することができるので、実行結果の内容が理解しやすくなる。
【０３２３】
第１の生産管理装置において、開始条件設定手段が、Ｗｅｂブラウザ、電子メールソフト又は電話を用いることにより、実行機能の種類を示す機能名及び実行機能の実行対象となる生産拠点を機能設定部に設定すると共に、実行機能の実行開始条件を開始条件設定部に設定すると、実行システムの操作方法に習熟していなくても、機能名、生産拠点又は実行開始条件の設定を容易に行なうことができる。
【０３２４】
第１の生産管理装置において、開始条件設定手段が、実行機能の種類を示す機能名として、コンピュータが認識可能な実行コマンド、ＨＴＴＰアドレス又はＳＱＬ文を機能設定部に設定すると、実行システムの機能に習熟していなくても、機能名の設定を容易に行なうことができる。
【０３２５】
第２の生産管理装置によると、依頼システムにおいて、機能名、生産拠点及び実行終了条件を設定するだけで、設定された生産拠点において動作する実行システムが、設定された実行終了条件が満たされているときに、設定された機能名が示す実行機能を実行終了するため、実行システムの操作方法又は機能に習熟していなくても実行機能を実行終了することができる。従って、依頼システムにおいて、例えば複数の生産拠点と共に実行機能として製品処理等を設定すると、共通の依頼形式を用いて複数の生産拠点において製品処理等の終了を同時に行なうことができるので、操作時間を短くすることができる。また、例えば実行機能として製品処理等を設定すると共に、実行終了条件としてロットの進行状況等を設定すると、ロットの進行状況等に応じて製品処理等の終了をタイムリーに行なうことができる。
【０３２６】
また、第２の生産管理装置によると、結果通知手段が、実行システムが指示された実行機能を実行することにより得た実行結果を通報機器に出力するため、実行結果を共通のフォーマットで出力することができるので、実行結果の内容が理解しやすくなる。
【０３２７】
第２の生産管理装置において、終了条件設定手段が、Ｗｅｂブラウザ、電子メールソフト又は電話を用いることにより、実行機能の種類を示す機能名及び実行機能の実行対象となる生産拠点を機能設定部に設定すると共に、実行機能の実行終了条件を終了条件設定部に設定すると、実行システムの操作方法に習熟していなくても、機能名、生産拠点又は実行終了条件の設定を容易に行なうことができる。
【０３２８】
第２の生産管理装置において、終了条件設定手段が、実行機能の種類を示す機能名として、コンピュータが認識可能な実行コマンド、ＨＴＴＰアドレス又はＳＱＬ文を機能設定部に設定すると、実行システムの機能に習熟していなくても、機能名の設定を容易に行なうことができる。
【０３２９】
第３の生産管理装置によると、依頼システムにおいて、機能名、生産拠点及び実行開始条件又は実行終了条件を設定するだけで、設定された生産拠点において動作する実行システムが、設定された実行開始条件又は実行終了条件が満たされているときに、設定された機能名が示す実行機能を実行開始又は実行終了するため、実行システムの操作方法又は機能に習熟していなくても実行機能を実行開始又は実行終了することができる。従って、依頼システムにおいて、例えば複数の生産拠点と共に実行機能として情報検索又は製品処理等を設定すると、共通の依頼形式を用いて複数の生産拠点において情報検索の開始又は製品処理の終了等を同時に行なうことができるので、操作時間を短くすることができる。また、例えば実行機能として情報検索又は製品処理等を設定すると共に、実行開始条件又は実行終了条件としてロットの進行状況等を設定すると、ロットの進行状況等に応じて情報検索の開始又は製品処理の終了等をタイムリーに行なうことができる。
【０３３０】
また、第３の生産管理装置によると、結果通知手段が、実行システムが指示された実行機能を実行することにより得た実行結果を通報機器に出力するため、実行結果を共通のフォーマットで出力することができるので、実行結果の内容が理解しやすくなる。
【０３３１】
第３の生産管理装置において、機能設定手段が、Ｗｅｂブラウザ、電子メールソフト又は電話を用いることにより、実行機能の種類を示す機能名及び実行機能の実行対象となる生産拠点を機能設定部に設定すると、実行システムの操作方法に習熟していなくても、機能名及び生産拠点の設定を容易に行なうことができる。
【０３３２】
第３の生産管理装置において、開始条件設定手段が、Ｗｅｂブラウザ、電子メールソフト又は電話を用いることにより、実行機能の実行開始条件を開始条件設定部に設定すると、実行システムの操作方法に習熟していなくても、実行開始条件の設定を容易に行なうことができる。
【０３３３】
第３の生産管理装置において、終了条件設定手段が、Ｗｅｂブラウザ、電子メールソフト又は電話を用いることにより、実行機能の実行終了条件を終了条件設定部に設定すると、実行システムの操作方法に習熟していなくても、実行終了条件の設定を容易に行なうことができる。
【０３３４】
第３の生産管理装置において、機能設定手段が、実行機能の種類を示す機能名として、コンピュータが認識可能な実行コマンド、ＨＴＴＰアドレス又はＳＱＬ文を機能設定部に設定すると、実行システムの機能に習熟していなくても、機能名の設定を容易に行なうことができる。
【０３３５】
第１又は第３の生産管理装置において、開始条件設定手段が、実行機能の実行開始条件として、実行機能又は該実行機能以外の他の機能の一時的な実行停止又は実行再開を開始条件設定部に設定すると、実行機能の実行開始をより一層タイムリーに行なうことができる。
【０３３６】
第２又は第３の生産管理装置において、終了条件設定手段が、実行機能の実行終了条件として、実行機能又は該実行機能以外の他の機能の一時的な実行停止又は実行再開を終了条件設定部に設定すると、実行機能の実行終了をより一層タイムリーに行なうことができる。
【０３３７】
第４の生産管理装置によると、依頼システムにおいて、機能名、生産拠点及び実行開始条件を設定するだけで、設定された生産拠点において動作する実行システムが、設定された実行開始条件が満たされているときに、設定された機能名が示す実行機能を実行開始するため、実行システムの操作方法又は機能に習熟していなくても実行機能を実行開始することができる。従って、依頼システムにおいて、例えば複数の生産拠点と共に実行機能として情報検索等を設定すると、共通の依頼形式を用いて複数の生産拠点において情報検索等の開始を同時に行なうことができるので、操作時間を短くすることができる。また、例えば実行機能として情報検索等を設定すると共に、実行開始条件としてロットの進行状況等を設定すると、ロットの進行状況等に応じて情報検索等の開始をタイムリーに行なうことができる。
【０３３８】
また、第４の生産管理装置によると、結果通知手段が、実行システムが実行機能を実行することにより得られる実行結果を通報機器に、通知方法設定手段により設定された結果通知方法に基づいて出力することができるため、例えば通知方法設定手段が結果通知方法として通知先（所定の通報機器及びそのアドレス）を設定することにより、所定の通報機器に実行結果を確実に出力できると共に、実行結果を共通のフォーマットで出力することができるので、実行結果を確実に受け取れると共に、実行結果の内容が理解しやすくなる。
【０３３９】
第４の生産管理装置において、実行開始情報送信手段が、複数のエージェントシステムを経由して最終の送信先であるエージェントシステムに向けて実行開始情報を送信すると、実行開始情報送信手段が直接認識していないエージェントシステムに向けて実行開始情報を送信することができる。
【０３４０】
第４の生産管理装置において、実行開始情報送信手段が、経由するエージェントシステムの負荷の総和が最小となるように複数のエージェントシステムを経由して最終の送信先であるエージェントシステムに向けて実行開始情報を送信すると、最終の送信先であるエージェントシステムに向けて実行開始情報を効率よく送信することができる。
【０３４１】
第４の生産管理装置において、実行開始情報送信手段が、経由するエージェントシステムの数が最小となるように複数のエージェントシステムを経由して最終の送信先であるエージェントシステムに向けて実行開始情報を送信すると、最終の送信先であるエージェントシステムに向けて実行開始情報を簡易に送信することができる。
【０３４２】
第５の生産管理装置によると、依頼システムにおいて、機能名、生産拠点及び実行終了条件を設定するだけで、設定された生産拠点において動作する実行システムが、設定された実行終了条件が満たされているときに、設定された機能名が示す実行機能を実行終了するため、実行システムの操作方法又は機能に習熟していなくても実行機能を実行終了することができる。従って、依頼システムにおいて、例えば複数の生産拠点と共に実行機能として製品処理等を設定すると、共通の依頼形式を用いて複数の生産拠点において製品処理等の終了を同時に行なうことができるので、操作時間を短くすることができる。また、例えば実行機能として製品処理等を設定すると共に、実行終了条件としてロットの進行状況等を設定すると、ロットの進行状況等に応じて製品処理等の終了をタイムリーに行なうことができる。
【０３４３】
また、第５の生産管理装置によると、結果通知手段が、実行システムが実行機能を実行することにより得られる実行結果を通報機器に、通知方法設定手段により設定された結果通知方法に基づいて出力することができるため、例えば通知方法設定手段が結果通知方法として通知先（所定の通報機器及びそのアドレス）を設定することにより、所定の通報機器に実行結果を確実に出力できると共に、実行結果を共通のフォーマットで出力することができるので、実行結果を確実に受け取れると共に、実行結果の内容が理解しやすくなる。
【０３４４】
第５の生産管理装置において、実行終了情報送信手段が、複数のエージェントシステムを経由して最終の送信先であるエージェントシステムに向けて実行終了情報を送信すると、実行終了情報送信手段が直接認識していないエージェントシステムに向けて実行終了情報を送信することができる。
【０３４５】
第５の生産管理装置において、実行終了情報送信手段が、経由するエージェントシステムの負荷の総和が最小となるように複数のエージェントシステムを経由して最終の送信先であるエージェントシステムに向けて実行終了情報を送信すると、最終の送信先であるエージェントシステムに向けて実行終了情報を効率よく送信することができる。
【０３４６】
第５の生産管理装置において、実行終了情報送信手段が、経由するエージェントシステムの数が最小となるように複数のエージェントシステムを経由して最終の送信先であるエージェントシステムに向けて実行終了情報を送信すると、最終の送信先であるエージェントシステムに向けて実行終了情報を簡易に送信することができる。
【０３４７】
第６の生産管理装置によると、依頼システムにおいて、機能名、生産拠点及び実行開始条件又は実行終了条件を設定するだけで、設定された生産拠点において動作する実行システムが、設定された実行開始条件又は実行終了条件が満たされているときに、設定された機能名が示す実行機能を実行開始又は実行終了するため、実行システムの操作方法又は機能に習熟していなくても実行機能を実行開始又は実行終了することができる。従って、依頼システムにおいて、例えば複数の生産拠点と共に実行機能として情報検索又は製品処理等を設定すると、共通の依頼形式を用いて複数の生産拠点において情報検索の開始又は製品処理の終了等を同時に行なうことができるので、操作時間を短くすることができる。また、例えば実行機能として情報検索又は製品処理等を設定すると共に、実行開始条件又は実行終了条件としてロットの進行状況等を設定すると、ロットの進行状況等に応じて情報検索の開始又は製品処理の終了等をタイムリーに行なうことができる。
【０３４８】
また、第６の生産管理装置によると、結果通知手段が、実行システムが実行機能を実行することにより得られる実行結果を通報機器に、通知方法設定手段により設定された結果通知方法に基づいて出力することができるため、例えば通知方法設定手段が結果通知方法として通知先（所定の通報機器及びそのアドレス）を設定することにより、所定の通報機器に実行結果を確実に出力できると共に、実行結果を共通のフォーマットで出力することができるので、実行結果を確実に受け取れると共に、実行結果の内容が理解しやすくなる。
【０３４９】
第６の生産管理装置において、実行情報送信手段が、複数のエージェントシステムを経由して最終の送信先であるエージェントシステムに向けて実行情報を送信すると、実行情報送信手段が直接認識していないエージェントシステムに向けて実行情報を送信することができる。
【０３５０】
第６の生産管理装置において、実行情報送信手段が、経由するエージェントシステムの負荷の総和が最小となるように複数のエージェントシステムを経由して最終の送信先であるエージェントシステムに向けて実行情報を送信すると、最終の送信先であるエージェントシステムに向けて実行情報を効率よく送信することができる。
【０３５１】
第６の生産管理装置において、実行情報送信手段が、経由するエージェントシステムの数が最小となるように複数のエージェントシステムを経由して最終の送信先であるエージェントシステムに向けて実行情報を送信すると、最終の送信先であるエージェントシステムに向けて実行情報を簡易に送信することができる。
【０３５２】
第４、第５又は第６の生産管理装置において、通知方法設定手段が、Ｗｅｂブラウザ、電子メールソフト又は電話を用いることにより、結果通知方法を通知方法設定部に設定すると、実行システムの操作方法に習熟していなくても、結果通知方法の設定を容易に行なうことができる。
【０３５３】
第４、第５又は第６の生産管理装置において、通知方法設定手段が、結果通知方法として、実行システムが実行機能を実行することにより得られる実行結果を通報機器に出力する際の緊急度合いを示す通知レベルを通知方法設定部に設定し、結果通知手段が、通知レベルに基づき通報機器に実行結果を出力すると、緊急度の高い実行結果の通報機器への出力を優先的に行なうことができる。
【０３５４】
第４、第５又は第６の生産管理装置において、通知方法設定手段が、結果通知方法として、実行システムが実行機能を実行することにより得られる実行結果を通報機器に出力する際に、該通報機器における実行結果の受け取りを確認するか否かを示す通知モードを通知方法設定部に設定し、結果通知手段が、通知モードが通報機器における実行結果の受け取りを確認するように設定されている場合に、通報機器における実行結果の受け取りを確認できるまで、通報機器に実行結果を繰り返し出力すると、重要な実行結果の通報機器への出力を確実に行なうことができる。
【０３５５】
第４、第５又は第６の生産管理装置において、結果送信手段が、複数のエージェントシステムを経由して回答システムに向けて実行結果情報を送信すると、結果送信手段が直接認識していない回答システムに向けて実行結果情報を送信することができる。
【０３５６】
第４、第５又は第６の生産管理装置において、結果送信手段が、経由するエージェントシステムの負荷の総和が最小となるように複数のエージェントシステムを経由して回答システムに向けて実行結果情報を送信すると、回答システムに向けて実行結果情報を効率よく送信することができる。
【０３５７】
第４、第５又は第６の生産管理装置において、結果送信手段が、経由するエージェントシステムの数が最小となるように複数のエージェントシステムを経由して回答システムに向けて実行結果情報を送信すると、回答システムに向けて実行結果情報を簡易に送信することができる。
【０３５８】
第１の生産管理方法によると、依頼システムにおいて、機能名、生産拠点及び実行開始条件又は実行終了条件を設定するだけで、設定された生産拠点において動作する実行システムが、設定された実行開始条件又は実行終了条件が満たされているときに、設定された機能名が示す実行機能を実行開始又は実行終了するため、実行システムの操作方法又は機能に習熟していなくても実行機能を実行開始又は実行終了することができる。従って、依頼システムにおいて、例えば複数の生産拠点と共に実行機能として情報検索又は製品処理等を設定すると、共通の依頼形式を用いて複数の生産拠点において情報検索の開始又は製品処理の終了等を同時に行なうことができるので、操作時間を短くすることができる。また、例えば実行機能として情報検索又は製品処理等を設定すると共に、実行開始条件又は実行終了条件としてロットの進行状況等を設定すると、ロットの進行状況等に応じて情報検索の開始又は製品処理の終了等をタイムリーに行なうことができる。
【０３５９】
また、第１の生産管理方法によると、結果通知工程において、実行システムが指示された実行機能を実行することにより得た実行結果を通報機器に出力するため、実行結果を共通のフォーマットで出力することができるので、実行結果の内容が理解しやすくなる。
【０３６０】
第１の生産管理方法において、機能設定工程が、実行機能の種類を示す機能名として、コンピュータが認識可能な実行コマンド、ＨＴＴＰアドレス又はＳＱＬ文を機能設定部に設定する工程を含むと、実行システムの機能に習熟していなくても、機能名の設定を容易に行なうことができる。
【０３６１】
第１の生産管理方法において、実行条件設定工程が、実行開始条件又は実行終了条件として、実行機能又は該実行機能以外の他の機能の一時的な実行停止又は実行再開を開始条件設定部又は終了条件設定部に設定する工程を含むと、実行機能の実行開始又は実行終了をより一層タイムリーに行なうことができる。
【０３６２】
第２の生産管理方法によると、依頼システムにおいて、機能名、生産拠点及び実行開始条件又は実行終了条件を設定するだけで、設定された生産拠点において動作する実行システムが、設定された実行開始条件又は実行終了条件が満たされているときに、設定された機能名が示す実行機能を実行開始又は実行終了するため、実行システムの操作方法又は機能に習熟していなくても実行機能を実行開始又は実行終了することができる。従って、依頼システムにおいて、例えば複数の生産拠点と共に実行機能として情報検索又は製品処理等を設定すると、共通の依頼形式を用いて複数の生産拠点において情報検索の開始又は製品処理の終了等を同時に行なうことができるので、操作時間を短くすることができる。また、例えば実行機能として情報検索又は製品処理等を設定すると共に、実行開始条件又は実行終了条件としてロットの進行状況等を設定すると、ロットの進行状況等に応じて情報検索の開始又は製品処理の終了等をタイムリーに行なうことができる。
【０３６３】
また、第２の生産管理方法によると、結果通知工程において、実行システムが指示された実行機能を実行することにより得た実行結果を通報機器に、通知方法設定工程で設定された結果通知方法に基づいて出力することができるため、例えば通知方法設定工程において結果通知方法として通知先（所定の通報機器及びそのアドレス）を設定することにより、所定の通報機器に実行結果を確実に出力できると共に、実行結果を共通のフォーマットで出力することができるので、実行結果を確実に受け取れると共に、実行結果の内容が理解しやすくなる。
【０３６４】
第２の生産管理方法において、通知方法設定工程が、結果通知方法として、実行システムが実行機能を実行することにより得られる実行結果を通報機器に出力する際の緊急度合いを示す通知レベルを通知方法設定部に設定する工程を含み、結果通知工程が、通知レベルに基づき通報機器に実行結果を出力する工程を含むと、緊急度の高い実行結果の通報機器への出力を優先的に行なうことができる。
【０３６５】
第２の生産管理方法において、通知方法設定工程が、結果通知方法として、実行システムが実行機能を実行することにより得られる実行結果を通報機器に出力する際に、該通報機器における実行結果の受け取りを確認するか否かを示す通知モードを通知方法設定部に設定する工程を含み、結果通知工程が、通知モードが通報機器における実行結果の受け取りを確認するように設定されている場合に、通報機器における実行結果の受け取りを確認できるまで、通報機器に実行結果を繰り返し出力する工程を含むと、重要な実行結果の通報機器への出力を確実に行なうことができる。
【０３６６】
第２の生産管理方法において、実行情報送信工程が、複数のエージェントシステムを経由して最終の送信先であるエージェントシステムに向けて実行情報を送信する工程を含むと、実行情報送信工程において直接認識されていないエージェントシステムに向けて実行情報を送信することができる。
【０３６７】
第２の生産管理方法において、実行情報送信工程が、経由するエージェントシステムの負荷の総和が最小となるように複数のエージェントシステムを経由して最終の送信先であるエージェントシステムに向けて実行情報を送信する工程を含むと、最終の送信先であるエージェントシステムに向けて実行情報を効率よく送信することができる。
【０３６８】
第２の生産管理方法において、実行情報送信工程が、経由するエージェントシステムの数が最小となるように複数のエージェントシステムを経由して最終の送信先であるエージェントシステムに向けて実行情報を送信する工程を含むと、最終の送信先であるエージェントシステムに向けて実行情報を簡易に送信することができる。
【０３６９】
第２の生産管理方法において、結果送信工程が、複数のエージェントシステムを経由して回答システムに向けて実行結果情報を送信する工程を含むと、結果送信工程において直接認識されていない回答システムに向けて実行結果情報を送信することができる。
【０３７０】
第２の生産管理方法において、結果送信工程が、経由するエージェントシステムの負荷の総和が最小となるように複数のエージェントシステムを経由して回答システムに向けて実行結果情報を送信する工程を含むと、回答システムに向けて実行結果情報を効率よく送信することができる。
【０３７１】
第２の生産管理方法において、結果送信工程が、経由するエージェントシステムの数が最小となるように複数のエージェントシステムを経由して回答システムに向けて実行結果情報を送信する工程を含むと、回答システムに向けて実行結果情報を簡易に送信することができる。
【図面の簡単な説明】
【図１】本発明の第１の実施形態に係る生産管理装置の構成を示すブロック図である。
【図２】（ａ）は本発明の第１、第２、第４又は第５の実施形態に係る生産管理装置において用いる機能設定形式を示す図であり、（ｂ）は本発明の第１又は第４の実施形態に係る生産管理装置において用いる機能設定ファイルを示す図であり、（ｃ）は本発明の第２又は第５の実施形態に係る生産管理装置において用いる機能設定ファイルを示す図である。
【図３】（ａ）は本発明の第１、第３、第４又は第６の実施形態に係る生産管理装置において用いる開始条件設定形式を示す図であり、（ｂ）は本発明の第１、第３、第４又は第６の実施形態に係る生産管理装置において用いる開始条件設定ファイルを示す図である。
【図４】本発明の第１、第２、第３、第４、第５又は第６の実施形態に係る生産管理装置において用いるコマンド変換テーブルを示す図である。
【図５】本発明の第１又は第３の実施形態に係る生産管理装置において用いる結果返却ファイルを示す図である。
【図６】本発明の第２の実施形態に係る生産管理装置の構成を示すブロック図である。
【図７】（ａ）は本発明の第２、第３、第５又は第６の実施形態に係る生産管理装置において用いる終了条件設定形式を示す図であり、（ｂ）は本発明の第２、第３、第５又は第６の実施形態に係る生産管理装置において用いる終了条件設定ファイルを示す図である。
【図８】本発明の第２又は第３の実施形態に係る生産管理装置において用いる結果返却ファイルを示す図である。
【図９】本発明の第３の実施形態に係る生産管理装置の構成を示すブロック図である。
【図１０】本発明の第３の実施形態に係る生産管理方法のフロー図である。
【図１１】（ａ）は本発明の第３の実施形態に係る生産管理方法における機能設定工程の各処理を説明するフロー図であり、（ｂ）は本発明の第３の実施形態に係る生産管理方法における実行条件設定工程の各処理を説明するフロー図であり、（ｃ）は本発明の第３の実施形態に係る生産管理方法における実行情報送信工程の各処理を説明するフロー図であり、（ｄ）は本発明の第３の実施形態に係る生産管理方法における実行情報受信工程の各処理を説明するフロー図である。
【図１２】（ａ）は本発明の第３の実施形態に係る生産管理方法における機能制御工程の各処理を説明するフロー図であり、（ｂ）は本発明の第３の実施形態に係る生産管理方法における結果通知工程の各処理を説明するフロー図である。
【図１３】（ａ）は本発明の第３又は第６の実施形態に係る生産管理装置において用いる機能設定形式を示す図であり、（ｂ）は本発明の第３又は第６の実施形態に係る生産管理装置において用いる機能設定ファイルを示す図である。
【図１４】本発明の第４の実施形態に係る生産管理装置の構成を示すブロック図である。
【図１５】（ａ）は本発明の第４、第５又は第６の実施形態に係る生産管理装置において用いる通知方法設定形式を示す図であり、（ｂ）は本発明の第４又は第６の実施形態に係る生産管理装置において用いる通知方法設定ファイルを示す図であり、（ｃ）は本発明の第５又は第６の実施形態に係る生産管理装置において用いる通知方法設定ファイルを示す図である。
【図１６】（ａ）は本発明の第４、第５又は第６の実施形態に係る生産管理装置における、依頼システムからエージェントシステムに情報を送信する１つの経路を示す図であり、（ｂ）は本発明の第４、第５又は第６の実施形態に係る生産管理装置における、依頼システムからエージェントシステムに情報を送信する複数の経路を示す図である。
【図１７】本発明の第４、第５又は第６の実施形態に係る生産管理装置において用いる負荷監視テーブルを示す図である。
【図１８】本発明の第４又は第６の実施形態に係る生産管理装置において用いる結果返却ファイルを示す図である。
【図１９】本発明の第４、第５又は第６の実施形態に係る生産管理装置において用いる通知待ちテーブルを示す図である。
【図２０】本発明の第５の実施形態に係る生産管理装置の構成を示すブロック図である。
【図２１】本発明の第５又は第６の実施形態に係る生産管理装置において用いる結果返却ファイルを示す図である。
【図２２】本発明の第６の実施形態に係る生産管理装置の構成を示すブロック図である。
【図２３】本発明の第６の実施形態に係る生産管理方法のフロー図である。
【図２４】（ａ）は本発明の第６の実施形態に係る生産管理方法における通知方法設定工程の各処理を説明するフロー図であり、（ｂ）は本発明の第６の実施形態に係る生産管理方法における実行情報送信工程の各処理を説明するフロー図であり、（ｃ）は本発明の第６の実施形態に係る生産管理方法における実行情報受信工程の各処理を説明するフロー図である。
【図２５】（ａ）は本発明の第６の実施形態に係る生産管理方法における結果送信工程の各処理を説明するフロー図であり、（ｂ）は本発明の第６の実施形態に係る生産管理方法における結果受信工程の各処理を説明するフロー図であり、（ｃ）は本発明の第６の実施形態に係る生産管理方法における結果通知工程の各処理を説明するフロー図である。
【図２６】（ａ）は従来の生産管理装置の一例である情報探索システムの構成を示すブロック図であり、（ｂ）は従来の生産管理装置の一例である装置指示システムの構成を示すブロック図であり、（ｃ）は従来の生産管理装置の一例である生産計画登録システムの構成を示すブロック図である。
【符号の説明】
１０  情報探索システム
１１  機能設定手段
１２  機能実行手段
１３  結果通知手段
２０  装置指示システム
２１  機能設定手段
２２  機能実行手段
２３  結果通知手段
３０  生産計画登録システム
３１  機能設定手段
３２  機能実行手段
３３  結果通知手段
１００  依頼システム
１０１  開始条件設定手段
１０２  実行開始情報
１０３  実行開始情報送信手段
１１０  実行システム
１２０  エージェントシステム
１２１  実行開始情報受信手段
１２２  機能実行手段
１２３  結果通知手段
１３０  通報機器
２００  依頼システム
２０１  終了条件設定手段
２０２  実行終了情報
２０３  実行終了情報送信手段
２１０  実行システム
２２０  エージェントシステム
２２１  実行終了情報受信手段
２２２  機能終了手段
２２３  結果通知手段
２３０  通報機器
３００  依頼システム
３０１  機能実行手段
３０２  開始条件設定手段
３０３  終了条件設定手段
３０４  実行情報
３０５  実行情報送信手段
３１０  実行システム
３２０  エージェントシステム
３２１  実行情報受信手段
３２２  機能実行手段
３２３  機能終了手段
３２４  結果通知手段
３３０  通報機器
４００  依頼システム
４０１  機能実行手段
４０２  開始条件設定手段
４０３  通知方法設定手段
４０４  実行開始情報
４０５  実行開始情報送信手段
４１０  実行システム
４２０  エージェントシステム
４２１  実行開始情報受信手段
４２２  機能実行手段
４２３  実行結果情報
４２４  結果送信手段
４３０  通報機器
４４０  回答システム
４４１  結果受信手段
４４２  結果通知手段
５００  依頼システム
５０１  機能実行手段
５０２  終了条件設定手段
５０３  通知方法設定手段
５０４  実行終了情報
５０５  実行終了情報送信手段
５１０  実行システム
５２０  エージェントシステム
５２１  実行終了情報受信手段
５２２  機能終了手段
５２３  実行結果情報
５２４  結果送信手段
５３０  通報機器
５４０  回答システム
５４１  結果受信手段
５４２  結果通知手段
６００  依頼システム
６０１  機能実行手段
６０２  開始条件設定手段
６０３  終了条件設定手段
６０４  通知方法設定手段
６０５  実行情報
６０６  実行情報送信手段
６１０  実行システム
６２０  エージェントシステム
６２１  実行情報受信手段
６２２  機能実行手段
６２３  機能終了手段
６２４  実行結果情報
６２５  結果送信手段
６３０  通報機器
６４０  回答システム
６４１  結果受信手段
６４２  結果通知手段
【図１】
0003738139.tif 000002
【図２】
0003738139.tif 000003
【図３】
0003738139.tif 000004
【図４】
0003738139.tif 000005
【図５】
0003738139.tif 000006
【図６】
0003738139.tif 000007
【図７】
0003738139.tif 000008
【図８】
0003738139.tif 000009
【図９】
0003738139.tif 000010
【図１０】
0003738139.tif 000011
【図１１】
0003738139.tif 000012
【図１２】
0003738139.tif 000013
【図１３】
0003738139.tif 000014
【図１４】
0003738139.tif 000015
【図１５】
0003738139.tif 000016
【図１６】
0003738139.tif 000017
【図１７】
0003738139.tif 000018
【図１８】
0003738139.tif 000019
【図１９】
0003738139.tif 000020
【図２０】
0003738139.tif 000021
【図２１】
0003738139.tif 000022
【図２２】
0003738139.tif 000023
【図２３】
0003738139.tif 000024
【図２４】
0003738139.tif 000025
【図２５】
0003738139.tif 000026
【図２６】
0003738139.tif 000027